(57)【要約】【課題】フロントエンド回路を変更しなくてもＳＳＤ法及び１スポットＰＰ法に対応することができる。【解決手段】光ディスク装置１は、汎用回路を有するフロントエンド回路５０に対して、検出信号ＤＡ〜ＤＭに対して当該汎用回路の構成に合わせて前段演算処理を施した演算信号Ｐ（Ｐ１）〜Ｐ（Ｐ５）を供給することにより、フロントエンド回路５０の後段演算処理によって当該フロントエンド（３）式、（４）式及び（１）式に基づく再生和信号ＳＰＩと、フォーカスエラー信号ＳＦＥと、トラッキングエラー信号ＳＴＥとを生成することができ、かくしてフォーカスエラー信号、トラッキングエラー信号及び再生和信号を生成し得る光ディスク装置及び光ピックアップを実現できる。【選択図】図１８
2008257784.tif 000002
【特許請求の範囲】
【請求項１】
光源から出射した光ビームを、対物レンズを介して光ディスクに対して照射する光ディスク装置において、
上記光ビームが上記光ディスクによって反射されてなる反射光ビームを、０次光でなるメイン反射光ビームと、回折角度を互いに相違させることによりその焦点距離を互いに相違させた状態で、±１次光でなる２つのサブ反射光ビームに分離するホログラムと、
上記光ディスクの信号記録層の所望トラックに対する上記光ビームのずれに応じた受光量を検出する２つのずれ検出領域、及び当該ずれ検出領域以外の複数の他検出領域によって上記メイン反射光ビームを受光して当該ずれ検出領域及び当該他検出領域の受光量に応じた検出信号をそれぞれ生成し、上記２つのサブ反射光ビームをそれぞれ１つの中心光検出領域及び２つの端部光検出領域でなる２組の検出領域群によって受光することにより、上記２つの反射光ビームにおける上記検出領域群上における上記２つの反射光ビームのサイズの変化に応じて上記光ビームの上記信号記録層に対する焦点のずれ量を表す検出信号をそれぞれ生成する受光部と、
各上記検出信号に演算処理を施して第１ないし第５の演算信号を生成する信号演算部と、
上記第１の演算信号及び上記第２の演算信号を加算することにより再生和信号を生成し、
上記第３の演算信号から上記第４の演算信号を減算することによりフォーカスエラー信号を生成し、
上記第１の演算信号から上記第２の演算信号を減算した差信号から、上記対物レンズの移動量に応じたオフセット量を表す上記第５の演算信号に第１の係数を乗算した乗算信号を減算することによりトラッキングエラー信号を生成することにより、複数のフォーカス制御方式又はトラッキング制御方式に対応し得る汎用回路を有するフロントエンド回路と
を具え、
上記信号演算部は、
上記複数の他検出領域の受光量に応じた上記検出信号の和に１／２を乗算し、これに一の上記ずれ検出領域の受光量に応じた検出信号を加算した和信号を上記第１の演算信号とし、
上記複数の他検出領域の受光量に応じた検出信号の和に１／２を乗算し、これに他の上記ずれ検出領域の受光量に応じた検出信号を加算した和信号を上記第２の演算信号とし、
一のサブ反射光ビームに応じた上記検出信号のうち、上記２つの端部光検出領域の受光量に応じた一の端部検出信号群を加算した和信号に第２の係数を乗算し、これに他のサブ反射光ビームに応じた上記検出信号のうち、上記中心光検出領域の受光量に応じた他の中心検出信号を加算した和信号、
又は上記他のサブ反射光ビームに応じた上記検出信号のうち、上記２つの端部光検出領域の受光量に応じた他の端部検出信号群を加算した和信号に上記第２の係数を乗算し、これを上記他の中心検出信号から減算した差信号を上記第３の演算信号とし、
上記他の端部検出信号群を加算した和信号に上記第２の係数を乗算し、これに上記一のサブ反射光ビームに応じた上記検出信号のうち、上記中心光検出領域の受光量に応じた一の中心検出信号を加算した和信号、
又は上記一の端部検出信号群を加算した和信号に上記第２の係数を乗算し、これを上記一の中心検出信号から減算した差信号を上記第４の演算信号とすることにより、
１スポットＰＰ（Push Pull）法に基づくトラッキングエラー信号と、ＳＳＤ法に基づくフォーカスエラー信号と、再生和信号とを上記フロントエンド回路に生成させる
ことを特徴とする光ディスク装置。
【請求項２】
上記フロントエンド回路は、
上記第５の演算信号に対して他の信号を加算することにより上記トラッキングエラー信号を生成し、
上記信号演算部は、
上記複数の他の領域のうち、上記対物レンズの移動量に応じたオフセット量を検出する２つのオフセット検出領域の差信号を上記第５の演算信号とし、上記他の信号を生成しないことにより、上記第１の演算信号から上記第２の演算信号を減算した差信号から、上記第５の演算信号に上記第１の係数を乗算した乗算信号をそのまま減算させる
ことを特徴とする請求項１に記載の光ディスク装置。
【請求項３】
上記メイン反射光ビームを複数の分割光ビームに分割することにより、当該分割光ビームをそれぞれ分離した状態で上記受光部に受光させる第１の光分割部と
を具えることを特徴とする請求項１に光ディスク装置。
【請求項４】
上記第１の光分割部は、
複数の領域にそれぞれホログラムが形成されてなり、上記ずれ検出領域に受光させる分割光ビームを回折するときの回折角度と、上記他検出領域に受光させる分割光ビームを回折するときの回折角度を相違させることにより、上記分割光ビームをそれぞれ分離した状態で上記受光部に受光させる
ことを特徴とする請求項１に記載の光ディスク装置。
【請求項５】
上記光ディスクは、
上記信号記録層を複数有する多層光ディスクを有し、
上記第１の光分割部は、
上記メイン反射光ビームを、上記対物レンズの移動量に応じたオフセット量を検出するための４つのオフセット分割光ビームと、上記ずれ検出領域に受光させる２つのずれ分割光ビームとに分離すると共に、上記光ビームを照射する一の上記信号記録層以外の他の上記信号記録層によって反射される迷光の影響を抑制するために上記メイン反射光ビームの中央部分を中央分割光ビームとして分離する
ことを特徴とする請求項４に記載の光ディスク装置。
【請求項６】
上記第１の光分割部は、
上記他検出領域のうち、中央検出領域によって上記中央分割光ビームを受光させ、上記他検出領域のうち、２つのオフセット検出領域によって上記４つのオフセット分割光ビームを受光させる
ことを特徴とする請求項５に記載の光ディスク装置。
【請求項７】
上記信号演算部は、
上記２つのオフセット検出領域の受光量に応じた検出信号をそれぞれＤＡ及びＤＢ、上記ずれ検出領域の受光量に応じた検出信号をそれぞれＤＣ及びＤＤ、上記中央検出領域の受光量に応じた検出信号をＤＥとし、
上記一の中心検出信号をＤＬ、上記一の端部検出信号群をそれぞれＤＫ及びＤＭとし、上記他の中心検出信号をＤＩ、上記他の端部検出信号群をそれぞれＤＨ及びＤＪとし、上記第２の係数をαとしたとき、
Ｐ（Ｐ１）として表される上記第１の演算信号と、Ｐ（Ｐ２）として表される上記第２の演算信号と、Ｐ（Ｐ３）として表される第３の演算信号と、Ｐ（Ｐ４）として表される上記第４の演算信号と、Ｐ（Ｐ５）として表される上記第５の演算信号を（１）から（５）式又は（１）、（２）、（５）、（６）及び（７）式に従って算出する
【数１】
2008257784.tif 000021
【数２】
2008257784.tif 000022
【数３】
2008257784.tif 000023
【数４】
2008257784.tif 000024
【数５】
2008257784.tif 000025
【数６】
2008257784.tif 000026
【数７】
2008257784.tif 000027
ことを特徴とする請求項６に記載の光ディスク装置。
【請求項８】
上記第１の光分割部とは異なる分割パターンを有する第２の分割部と、
所定の切替条件に応じて、上記メイン反射光ビームが作用する上記第１の光分割部又は上記第２の光分割部を切り替える切換制御部と
を具えることを特徴とする請求項４に記載の光ディスク装置。
【請求項９】
光源から出射した光ビームを、対物レンズを介して光ディスクに対して照射する光ピックアップにおいて、
上記光ビームが上記光ディスクによって反射されてなる反射光ビームを、０次光でなるメイン反射光ビームと、回折角度を互いに相違させることによりその焦点距離を互いに相違させた状態で、±１次光でなる２つのサブ反射光ビームに分離するホログラムと、
上記光ディスクの信号記録層の所望トラックに対する上記光ビームのずれに応じた受光量を検出する２つのずれ検出領域、及び当該ずれ検出領域以外の複数の他検出領域によって上記メイン反射光ビームを受光して当該ずれ検出領域及び当該他検出領域の受光量に応じた検出信号をそれぞれ生成し、上記２つのサブ反射光ビームをそれぞれ１つの中心光検出領域及び２つの端部光検出領域でなる２組の検出領域群によって受光することにより、上記２つの反射光ビームにおける上記検出領域群上における上記２つの反射光ビームのサイズの変化に応じて上記光ビームの上記信号記録層に対する焦点のずれ量を表す検出信号をそれぞれ生成する受光部と、
各上記検出信号に演算処理を施して第１ないし第５の演算信号を生成する信号演算部と、
上記第１の演算信号及び上記第２の演算信号を加算することにより再生和信号を生成し、
上記第３の演算信号から上記第４の演算信号を減算することによりフォーカスエラー信号を生成し、
上記第１の演算信号から上記第２の演算信号を減算した差信号から、上記対物レンズの移動量に応じたオフセット量を表す上記第５の演算信号に第１の係数を乗算した乗算信号を減算することによりトラッキングエラー信号を生成することにより、複数のフォーカス制御方式又はトラッキング制御方式に対応し得る汎用回路を有するフロントエンド回路に対して、
上記複数の他検出領域の受光量に応じた上記検出信号の和に１／２を乗算し、これに一の上記ずれ検出領域の受光量に応じた検出信号を加算した和信号を上記第１の演算信号を供給し、
上記複数の他検出領域の受光量に応じた検出信号の和に１／２を乗算し、これに他の上記ずれ検出領域の受光量に応じた検出信号を加算した和信号を上記第２の演算信号を供給し、
一のサブ反射光ビームに応じた上記検出信号のうち、上記２つの端部光検出領域の受光量に応じた一の端部検出信号群を加算した和信号に第２の係数を乗算し、これに他のサブ反射光ビームに応じた上記検出信号のうち、上記中心光検出領域の受光量に応じた他の中心検出信号を加算した和信号、
又は上記他のサブ反射光ビームに応じた上記検出信号のうち、上記２つの端部光検出領域の受光量に応じた他の端部検出信号群を加算した和信号に上記第２の係数を乗算し、これを上記他の中心検出信号から減算した差信号を上記第３の演算信号として供給し、
上記他の端部検出信号群を加算した和信号に上記第２の係数を乗算し、これに上記一のサブ反射光ビームに応じた上記検出信号のうち、上記中心光検出領域の受光量に応じた一の中心検出信号を加算した和信号、
又は上記一の端部検出信号群を加算した和信号に上記第２の係数を乗算し、これを上記一の中心検出信号から減算した差信号を上記第４の演算信号として供給することにより、
１スポットＰＰ（Push Pull）法に基づくトラッキングエラー信号と、ＳＳＤ法に基づくフォーカスエラー信号と、再生和信号とを上記フロントエンド回路に生成させる
ことを特徴とする光ピックアップ。
【発明の詳細な説明】
【技術分野】
【０００１】
本発明は光ディスク装置及び光ピックアップに関し、例えばＳＳＤ（Spot Size Detection）法及び１ビームＰＰ（Push Pull）によるフォーカス制御及びトラッキング制御を行う光ディスク装置に適用して好適なものである。
【背景技術】
【０００２】
従来、光ディスク装置においては、光ディスクに対して音楽コンテンツや映像コンテンツ、或いは各種データ等の情報を記録し、また当該光ディスクから当該情報を再生するようになされたものが広く普及している。
【０００３】
実際上、光ディスク装置は、光ディスクの信号記録層に同心円状又は螺旋状に形成されたトラックに対して書込用の光ビームを照射することにより、所定形状のピットを形成して情報の記録を行う。また光ディスク装置は、当該トラックに読出用の光ビームを照射してその反射光ビームの一部を基に、記録された情報を読み出すための再生ＲＦ信号を生成することにより、情報の再生を行うようになされている。
【０００４】
光ディスク装置は、光ディスクからの反射光ビームの一部を検出して所定の信号処理を施すことにより、光ディスクの信号記録層に光ビームを合焦させるためのフォーカスエラー信号を生成し、当該フォーカスエラー信号を基に当該光ビームの焦点距離を制御して光ディスクの信号記録層に光ビームを合焦させる、いわゆるフォーカス制御を行うようになされている。
【０００５】
また光ディスク装置は、検出した反射光ビームの一部から光ビームの照射位置と所望のトラックとのずれ量に応じたトラッキングエラー信号を生成し、当該トラッキングエラー信号を基に当該光ビームの照射位置を制御して当該ずれ量を削減させる、いわゆるトラッキング制御を行うようになされている。
【０００６】
さらに光ディスク装置は、検出した反射光ビームの一部から再生和信号を生成し、フォーカスサーボ引き込み時のレベル判定信号や、フォーカスエラー信号及びトラッキングエラー信号の正規化信号として使用するようになされている。
【０００７】
近年、光ディスク装置として、ＢＤ（Blu-ray Disc（登録商標））に対応するようになされたものがある。このＢＤでは情報の再生及び記録時の高速化が進んでおり、高速化に伴って高速シーク特性が要求されると共に、記録時にレーザダイオードから出射する光ビームの強度を増大させる必要がある。
【０００８】
一般的にフォーカス制御として、シリンドリカルレンズを用いて非点収差を発生させる非点収差法が広く用いられている。この非点収差法では、高速シーク時にトラバース信号漏れ（いわゆるフォーカスリーク）を引き起こしてフォーカス制御が不安定になり、高速シーク特性が悪くなってしまう。
【０００９】
このため光ディスク装置の中には、フォーカスリークの少ないＳＳＤ法を用いてフォーカス制御するようになされたものがある（例えば、特許文献１参照）。
【００１０】
ところで、従来の光ディスク装置では、トラッキング制御として、回折により光ビームを主に再生信号の生成に使用される０次光ビームと主にトラッキング制御に使用される±１次光ビームの３つに分離して光ディスクに照射する、いわゆるＤＰＰ（Differential Push Pull）法が広く用いられている。
【００１１】
このＤＰＰ法では、光ビームを３つに分離して光ディスクに照射するため、ＢＤに照射される０次光ビームの光強度が約１５％低下してしまい、レーザダイオードから出射する光ビームの強度を増大させなければならない。
【００１２】
そこで、光ディスク装置の中には、光ビームを分離せずＢＤに照射する、いわゆる１スポットＰＰ（Push Pull）法を用いてトラッキング制御することにより、レーザダイオードから出射する光ビームの強度を低下させないようになされたものがある（例えば、特許文献２参照）。
【００１３】
従って光ディスク装置は、ＳＳＤ法及び１スポットＰＰ法を組み合わせて使用することにより、ＢＤに対して良好にフォーカス制御及びトラッキング制御を実行できると考えられる。
【特許文献１】特開２００３−１８７４６９公報
【特許文献２】特開２００６−３４４２９６公報
【発明の開示】
【発明が解決しようとする課題】
【００１４】
ところで、一般的な光ディスク装置では、反射光ビームの光量に応じた検出信号から上述したフォーカスエラー信号、トラッキングエラー信号及び再生和信号を生成するフロントエンド回路が光ピックアップの外部に設けられている。
【００１５】
一般的にこのフロントエンド回路は、検出信号から非点収差法及びＤＰＰ法に応じたフォーカスエラー信号、トラッキングエラー信号及び再生和信号を生成するようにその回路が形成されている。
【００１６】
従って、ＳＳＤ（Spot Size Detection）法及び１スポットＰＰ法を組み合わせて使用するためには、光ピックアップの構成を変更するに留まらず、光ピックアップの外部にあるフロントエンド回路をも変更しなければならないという問題があった。
【００１７】
本発明は以上の点を考慮してなされたもので、従来から使用されているフロントエンド回路を変更しなくてもＳＳＤ法及び１スポットＰＰ法に対応したフォーカスエラー信号、トラッキングエラー信号及び再生和信号を生成し得る光ディスク装置及び光ピックアップを提案しようとするものである。
【課題を解決するための手段】
【００１８】
かかる課題を解決するため本発明の光ディスク装置においては、光源から出射した光ビームを、対物レンズを介して光ディスクに対して照射し、光ビームが光ディスクによって反射されてなる反射光ビームを、０次光でなるメイン反射光ビームと、回折角度を互いに相違させることによりその焦点距離を互いに相違させた状態で、±１次光でなる２つのサブ反射光ビームに分離するホログラムと、光ディスクの信号記録層の所望トラックに対する光ビームのずれに応じた受光量を検出する２つのずれ検出領域、及び当該ずれ検出領域以外の複数の他検出領域によってメイン反射光ビームを受光して当該ずれ検出領域及び当該他検出領域の受光量に応じた検出信号をそれぞれ生成し、２つのサブ反射光ビームをそれぞれ１つの中心光検出領域及び２つの端部光検出領域でなる２組の検出領域群によって受光することにより、２つの反射光ビームにおける検出領域群上における２つの反射光ビームのサイズの変化に応じて光ビームの信号記録層に対する焦点のずれ量を表す検出信号をそれぞれ生成する受光部と、各検出信号に演算処理を施して第１ないし第５の演算信号を生成する信号演算部と、第１の演算信号及び第２の演算信号を加算することにより再生和信号を生成し、第３の演算信号から第４の演算信号を減算することによりフォーカスエラー信号を生成し、第１の演算信号から第２の演算信号を減算した差信号から、対物レンズの移動量に応じたオフセット量を表す第５の演算信号に第１の係数を乗算した乗算信号を減算することによりトラッキングエラー信号を生成することにより、複数のフォーカス制御方式又はトラッキング制御方式に対応し得る汎用回路を有するフロントエンド回路とを設け、信号演算部は、複数の他検出領域の受光量に応じた検出信号の和に１／２を乗算し、これに一のずれ検出領域の受光量に応じた検出信号を加算した和信号を第１の演算信号とし、複数の他検出領域の受光量に応じた検出信号の和に１／２を乗算し、これに他のずれ検出領域の受光量に応じた検出信号を加算した和信号を第２の演算信号とし、一のサブ反射光ビームに応じた検出信号のうち、２つの端部光検出領域の受光量に応じた一の端部検出信号群を加算した和信号に第２の係数を乗算し、これに他のサブ反射光ビームに応じた検出信号のうち、中心光検出領域の受光量に応じた他の中心検出信号を加算した和信号、又は他のサブ反射光ビームに応じた検出信号のうち、２つの端部光検出領域の受光量に応じた他の端部検出信号群を加算した和信号に第２の係数を乗算し、これを他の中心検出信号から減算した差信号を第３の演算信号とし、他の端部検出信号群を加算した和信号に第２の係数を乗算し、これに一のサブ反射光ビームに応じた検出信号のうち、中心光検出領域の受光量に応じた一の中心検出信号を加算した和信号、又は一の端部検出信号群を加算した和信号に第２の係数を乗算し、これを一の中心検出信号から減算した差信号を第４の演算信号とすることにより、１スポットＰＰ（Push Pull）法に基づくトラッキングエラー信号と、ＳＳＤ法に基づくフォーカスエラー信号と、再生和信号とをフロントエンド回路に生成させるようにした。
【００１９】
これにより、汎用のフロントエンド回路によって最終的にＳＳＤ法及び１スポットＰＰ法に基づくフォーカスエラー信号、トラッキングエラー信号及び再生和信号を生成できるように、第１ないし第５の演算信号を生成することができる。
【００２０】
また本発明の光ピックアップにおいては、光源から出射した光ビームを、対物レンズを介して光ディスクに対して照射し、光ビームが光ディスクによって反射されてなる反射光ビームを、０次光でなるメイン反射光ビームと、回折角度を互いに相違させることによりその焦点距離を互いに相違させた状態で、±１次光でなる２つのサブ反射光ビームに分離するホログラムと、光ディスクの信号記録層の所望トラックに対する光ビームのずれに応じた受光量を検出する２つのずれ検出領域、及び当該ずれ検出領域以外の複数の他検出領域によってメイン反射光ビームを受光して当該ずれ検出領域及び当該他検出領域の受光量に応じた検出信号をそれぞれ生成し、２つのサブ反射光ビームをそれぞれ１つの中心光検出領域及び２つの端部光検出領域でなる２組の検出領域群によって受光することにより、２つの反射光ビームにおける検出領域群上における２つの反射光ビームのサイズの変化に応じて光ビームの信号記録層に対する焦点のずれ量を表す検出信号をそれぞれ生成する受光部と、各検出信号に演算処理を施して第１ないし第５の演算信号を生成する信号演算部と、第１の演算信号及び第２の演算信号を加算することにより再生和信号を生成し、第３の演算信号から第４の演算信号を減算することによりフォーカスエラー信号を生成し、第１の演算信号から第２の演算信号を減算した差信号から、対物レンズの移動量に応じたオフセット量を表す第５の演算信号に第１の係数を乗算した乗算信号を減算することによりトラッキングエラー信号を生成することにより、複数のフォーカス制御方式又はトラッキング制御方式に対応し得る汎用回路を有するフロントエンド回路に対して、複数の他検出領域の受光量に応じた検出信号の和に１／２を乗算し、これに一のずれ検出領域の受光量に応じた検出信号を加算した和信号を第１の演算信号を供給し、複数の他検出領域の受光量に応じた検出信号の和に１／２を乗算し、これに他のずれ検出領域の受光量に応じた検出信号を加算した和信号を第２の演算信号を供給し、一のサブ反射光ビームに応じた検出信号のうち、２つの端部光検出領域の受光量に応じた一の端部検出信号群を加算した和信号に第２の係数を乗算し、これに他のサブ反射光ビームに応じた検出信号のうち、中心光検出領域の受光量に応じた他の中心検出信号を加算した和信号、又は他のサブ反射光ビームに応じた検出信号のうち、２つの端部光検出領域の受光量に応じた他の端部検出信号群を加算した和信号に第２の係数を乗算し、これを他の中心検出信号から減算した差信号を第３の演算信号として供給し、他の端部検出信号群を加算した和信号に第２の係数を乗算し、これに一のサブ反射光ビームに応じた検出信号のうち、中心光検出領域の受光量に応じた一の中心検出信号を加算した和信号、又は一の端部検出信号群を加算した和信号に第２の係数を乗算し、これを一の中心検出信号から減算した差信号を第４の演算信号として供給することにより、１スポットＰＰ（Push Pull）法に基づくトラッキングエラー信号と、ＳＳＤ法に基づくフォーカスエラー信号と、再生和信号とをフロントエンド回路に生成させるようにした。
【００２１】
これにより、汎用のフロントエンド回路によって最終的にＳＳＤ法及び１スポットＰＰ法に基づくフォーカスエラー信号、トラッキングエラー信号及び再生和信号を生成できるように、第１ないし第５の演算信号を生成することができる。
【発明の効果】
【００２２】
本発明によれば、汎用のフロントエンド回路によって最終的にＳＳＤ法及び１スポットＰＰ法に基づくフォーカスエラー信号、トラッキングエラー信号及び再生和信号を生成できるように、第１ないし第５の演算信号を生成することができ、かくして従来から使用されているフロントエンド回路を変更しなくてもＳＳＤ法及び１スポットＰＰ法に対応したフォーカスエラー信号、トラッキングエラー信号及び再生和信号を生成し得る光ディスク装置及び光ピックアップを実現できる。
【発明を実施するための最良の形態】
【００２３】
以下、図面について、本発明の一実施の形態を詳述する。
【００２４】
（１）第１の実施の形態
（１−１）光ディスク装置の構成
図１において、光ディスク装置１は、全体としてＢＤ−ＲＥディスクやＢＤ−ＲＯＭディスク等でなる光ディスク１００に対して音楽コンテンツ、映像コンテンツ又は各種データ等の情報を記録し、また当該光ディスク１００から当該情報を再生するようになされている。
【００２５】
システムコントローラ１１は、光ディスク装置１全体を統括制御するようになされており、光ディスク１００が装填された状態で、操作部１２より当該光ディスク１００からの情報の再生命令を取得すると、当該光ディスク１００の信号記録層に記録されている情報を特定するためのアドレス情報ＩＡと共に、情報読出命令ＭＲを駆動制御部１３へ送出する。
【００２６】
駆動制御部１３は、システムコントローラ１１からの情報読出命令に応じて、スピンドルモータ１４を制御することにより光ディスク１００を所定の回転速度で回転させると共に、当該データ読出命令ＭＲ及びアドレス情報ＩＡを基に送りモータ１５を制御することにより、光ピックアップ２０を当該光ディスク１００の径方向に移動させ、当該光ディスク１００の信号記録層におけるアドレス情報ＩＡに応じたトラック（以下、これを所望トラックと呼ぶ）に光ビームを集光した状態で照射させる。
【００２７】
このとき光ピックアップ２０は、光ディスク１００に照射した光ビームが反射されてなる反射光ビームを受光し、その光量に応じた検出信号を生成すると共に、当該検出信号に対して所定の前段演算処理（詳しくは後述する）を施して生成した演算信号を信号処理部１７へ送出する。
【００２８】
信号処理部１７は、当該演算信号を基に後段演算処理（詳しくは詳述する）を実行し、所望トラックに対する光ビームの照射位置のずれ量に応じたトラッキングエラー信号ＳＴＥと光ディスク１００の信号記録層に対する光ビームの焦点のずれ量に応じたフォーカスエラー信号ＳＦＥと再生和信号ＳＰＩとを生成してこれらを駆動制御部１３へ送出すると共に、当該検出信号を基に再生ＲＦ信号ＳＲＦを生成して信号変復調部１８へ送出する。
【００２９】
駆動制御部１３は、トラッキングエラー信号ＳＴＥ、フォーカスエラー信号ＳＦＥ及び再生和信号ＳＰＩに基づいたトラッキング制御信号ＣＴ及びフォーカス制御信号ＣＦを生成し、これらを光ピックアップ２０へ送出する。これに応じて光ピックアップ２０は、トラッキング制御及びフォーカス制御を行い、光ビームの焦点を光ディスク１００の所望トラックに合わせるようになされている。
【００３０】
信号変復調部１８は、再生ＲＦ信号ＳＲＦに対して所定の復調処理や復号化処理等を施すことにより情報を再生し、これを外部機器（図示せず）へ送出する。
【００３１】
また光ディスク装置１は、信号変復調部１８に入力された記録信号に対して所定の変調処理を施し、これを信号処理部１７により記録用の信号に変換した後、光ピックアップ２０から当該記録用の信号に応じた記録用ビームを出射させることにより、記録信号に応じた情報を光ディスク１００に記録する。
【００３２】
このように光ディスク装置１は、光ピックアップ２０から光ディスク１００の信号記録層における所望トラックに対して焦点を合わせた光ビームを照射することにより、所望の情報を再生または記録し得るようになされている。
【００３３】
（１−２）光ピックアップの構成
図２に示すように、光ピックアップ２０は、光集積素子２１の内部から出射された出射光ビームＬ１１を、コリメータレンズ２２により平行光に変換し、１／４波長板１７により直線偏光から円偏光に変換して立ち上げミラー１６により光ディスク１００（図示せず）が存在する前方向へ立ち上げ、対物レンズ１８により当該出射光ビームＬ１１を収束光に変換し、当該光ディスク１００における信号記録層上の所望トラックに合焦させる。
【００３４】
また光ピックアップ２０は、光ディスク１００の信号記録層において出射光ビームＬ１１が反射された反射光ビームＬ１２を対物レンズ１８へ入射させて発散光から平行光に変換し、立ち上げミラー１６により光集積素子２１が設けられた下方向へ寝かせ、１／４波長板１７により円偏光から直線偏光に変換しコリメータレンズ２２により収束光に変換した後、当該光集積素子２１へ入射させる。
【００３５】
（１−２−１）光集積素子における出射光ビームの光路
実際上、光集積素子２１は、図３（Ａ）に示すように、ベース部３０を中心に構成されており、当該ベース部３０の下面側に、レーザダイオード３１が取り付けられるようになされている。
【００３６】
ベース部３０の上側には、フォトディテクタ３２が取り付けられると共に、スペーサ３３が取り付けられ、その上側にそれぞれ薄板状に構成された板状部材３４Ａ〜３４Ｄが積層されてなる偏光フィルタ部３４が取り付けられ、さらにその上側に偏光プリズム３５が取り付けられている。
【００３７】
図３（Ｂ）に示すように、偏光フィルタ部３４の板状部材３４Ａ〜３４Ｄには、各種ホログラムや波長板等が形成されている。偏光フィルタ部３４には、各種ホログラムや波長板等が組み合わされることにより、１／２波長板３９、特許文献３に記載された手法により出射光ビームＬ１１の強度を減衰させる機能および強度分布を補正する機能を備えるアッテネータ部４０、及び反射光ビームＬ１２をする際の分割導光パターンを切り換える分割導光パターン切換部４１が構成されている。
【特許文献３】特開２００２−２６０２７２公報
【００３８】
光集積素子２１は、システムコントローラ１１（図１）の制御に基づき、レーザダイオード３１から出射光ビームＬ１１を上方へ出射させ、ベース部３０を上下に貫通するように設けられた貫通穴及びスペーサ３３の内部に設けられた空洞部を通過させて、当該出射光ビームＬ１１を偏光フィルタ部３４へ入射させる。
【００３９】
このとき偏光フィルタ部３４の板状部材３４Ａは、出射光ビームＬ１１をそのまま通過させ、板状部材３４Ｂに設けられた１／２波長板３９により出射光ビームＬ１１の偏光面を所定の角度だけ回転させて偏光方向を紙面左右方向とし、板状部材３４Ｂと板状部材３４Ｃとの間に設けられたアクティブ波長板４２へ入射させる。
【００４０】
アクティブ波長板４２は、液晶素子でなり、システムコントローラ１１（図１）の制御に基づいて出射光ビームＬ１１の中心から所定半径部分の領域における偏光面を所望の角度だけ回転させ、板状部材３４Ｄの偏光ホログラム４３へ入射させる。偏光ホログラム４３は、出射光ビームＬ１１における特定の方位の偏光成分でなる光ビームを回折させて偏光プリズム３５へ入射させるようになされている。
【００４１】
ここで光集積素子２１は、光ディスク１００への信号の記録時に、アクティブ波長板４２を通過する出射光ビームＬ１１の中心から所定半径部分の領域の偏光面の相対的な回転を略０度（紙面左右方向に平行な方向）に調整する。このため光集積素子２１は、偏光ホログラム４３による回折を発生させず、偏光プリズム３５の偏光面３５Ａにおいて出射光ビームＬ１１の光量のほぼ全てを透過させ、当該光集積素子２１の上方に配置されたコリメータレンズ２２（図１）の方向へ出射することになる。これにより光集積素子２１は、光ディスク１００への信号の記録時に、レーザパワーを効率良く使用することができる。
【００４２】
また光集積素子２１は、光ディスク１００に記録された信号の読取時に、アクティブ波長板４２を通過する出射光ビームＬ１１の中心から所定半径部分の領域の偏光面に相対的な角度を与えるように調整する。このため光集積素子２１は、出射光ビームＬ１１のうち強度が強い中心部分のみを選択的に偏光ホログラム４３により回折させ、回折された光ビームを偏光プリズム３５の偏光面３５Ａにおいて反射させ、図の左方向に配置されたアッテネータ部動作確認用フォトディテクタ３６に入射させる。さらに光集積素子２１は、出射光ビームＬ１１の中心部における強度を減衰させた状態で偏光プリズム３５の偏光面３５Ａを透過させ、当該光集積素子２１の上方に配置されたコリメータレンズ２２（図２）の方向に出射させる。
【００４３】
これにより光集積素子２１は、光ディスク１００に記録された信号の読取時に、当該光ディスク１００の記録面上で同一の読取パワーを発生させた場合におけるレーザダイオード３１の出射パワーを上昇させ、レーザノイズを相対的に低減させることができると共に、出射光ビームＬ１１の強度分布をより均一化して光ディスク１００の記録面上における光スポットの集光性能を改善させることができる。
【００４４】
さらに、システムコントローラ１１（図１）は、アッテネータ部動作確認用フォトディテクタ３６に入射する光量を検出することにより、アクティブ波長板４２の動作状態を監視している。これによりシステムコントローラ１１は、アッテネータ部４０により出射光量が減衰されている状態で光ディスク１００に対して記録パワーの出射光ビームＬ１１を照射させるといった、レーザダイオード３１の出射光量の定格を超える動作が起きることを抑制し得るようになされている。
【００４５】
（１−２−２）光集積素子における反射光ビームの光路
一方、光集積素子２１（図３（Ａ））は、偏光プリズム３５の上方から入射される反射光ビームＬ１２を偏光面３５Ａ及び反射面３５Ｂにおいてそれぞれ反射させることにより、当該反射光ビームＬ１２を板状部材３４Ｄに設けられたフォーカスサーボ用ホログラム４４へ入射させる。
【００４６】
板状部材３４Ｄ（図３（Ｂ））の下面側には、偏光ホログラム４３に加えてフォーカスサーボ用ホログラム４４が形成されている。このフォーカスサーボ用ホログラム４４は、反射光ビームＬ１２を０次光でなる反射光ビームＬ１３、負のパワーが付与された＋１次光でなる反射光ビームＬ１４及び正のパワーが付与された−１次光でなる反射光ビームＬ１５に分離させると共に、板状部材３４Ｃへ入射させる。
【００４７】
このときフォーカスサーボ用ホログラム４４は、弧状に形成された回折パターンにより±1次光の回折角度を互いに相違させることにより、±１次光の焦点距離を互いに相違させ、0次光の前後でそれぞれ焦点を結ばせる。これによりフォーカスサーボ用ホログラム４４は、光ディスク１００の信号記録層に対する出射光ビームＬ１１の焦点のずれ量に応じて、フォトディテクタ３２の検出領域上での反射光ビームＬ１４及びＬ１５のサイズを互いに大小反対方向に変化させる。
【００４８】
板状部材３４Ｂと板状部材３４Ｃとの間には、アクティブ波長板４２に加えて液晶素子でなるアクティブ波長板４５が形成されている。アクティブ波長板４５は、システムコントローラ１１（図１）の制御に基づいて液晶セルへの印加電圧を変化させることにより、反射光ビームＬ１３〜Ｌ１５の偏光面を任意に回転させ、これを板状部材３４Ｂへ入射させるようになされている。
【００４９】
すなわちアクティブ波長板４５は、液晶セルへの印加電圧に応じて、例えば図の左右方向に偏光された反射光ビームＬ１３〜Ｌ１５を透過させるか、或いは図の前後方向（すなわち図の手前側又は奥側の方向）に偏光された反射光ビームＬ１３〜Ｌ１５を透過させるかを切り換えるようになされている。
【００５０】
板状部材３４Ｂの下面側及び板状部材３４Ａの上面側には、偏光ホログラムでなる分割導光部４６及び４７が形成されている。
【００５１】
分割導光部４６は、図４（Ａ）に示すように、４つの導光領域４６Ａ〜４６Ｄに分割されており、反射光ビームＬ１３（図３（Ｂ））が当該分割導光部４６を透過する際の透過断面Ｒ１１を４つの透過断面Ｒ１１Ａ〜Ｒ１１Ｄに分割するようになされている。
【００５２】
実際上、分割導光部４６には、図５（Ａ）に示すように、４つの導光領域４６Ａ〜４６ＤにそれぞれブレーズドＨＯＥ（Holographic Optical Element）でなる偏光ホログラムが形成されており、反射光ビームＬ１３（図３（Ｂ））を分割した分割光ビームＬ１６Ａ〜Ｌ１６Ｄをそれぞれ左方向又は右方向へ回折させるようになされている。因みに分割導光部４６は板状部材３４Ｂの下面に形成されているが、説明の都合上、図５（Ａ）では当該分割導光部４６を上側から見た様子を表している。
【００５３】
ここで図５（Ｂ）及び（Ｃ）に断面を示すように、導光領域４６Ａ及び４６Ｄは、それぞれ反射光ビームＬ１３のうち透過断面Ｒ１１Ａ及びＲ１１Ｄ（図５（Ａ））に相当する部分をそれぞれ左方向又は右方向へ比較的小さく回折させることにより、それぞれ左方向又は右方向へ比較的中央寄りに進行する分割光ビームＬ１６Ａ及びＬ１６Ｄを生成する。
【００５４】
また導光領域４６Ｂ及び４６Ｃは、それぞれ反射光ビームＬ１３のうち透過断面Ｒ１１Ｂ及びＲ１１Ｃ（図５（Ａ））に相当する部分をそれぞれ左方向及び右方向へ比較的大きく回折させることにより、左方向及び右方向の比較的外側へ進行する分割光ビームＬ１６Ｂ及びＬ１６Ｃを生成する。
【００５５】
一方、分割導光部４７は、図４（Ｂ）に示すように、分割導光板２０と一部異なる７つの導光領域４７Ａ〜４７Ｇに分割されており、反射光ビームＬ１３（図３（Ｂ））が当該分割導光板４７を透過する際の透過断面Ｒ１２を７つの透過断面Ｒ１２Ａ〜Ｒ１２Ｇに分割するようになされている。
【００５６】
実際上、分割導光部４７の上面には、図６（Ａ）に示すように、導光領域４７Ｇを除く６つの導光領域４７Ａ〜４７ＦにそれぞれブレーズドＨＯＥでなる偏光ホログラムが形成されており、反射光ビームＬ１３（図３（Ｂ））を分割した分割光ビームＬ１７Ａ〜Ｌ１７Ｆをそれぞれ図中左方向又は右方向へ回折させ、また導光領域４７Ｇを透過した分割光ビームＬ１７Ｇを中央方向へ進行させるようになされている。
【００５７】
ここで図６（Ｂ）及び（Ｃ）に断面を示すように、導光領域４７Ａ、４７Ｅ、４７Ｂ及び４７Ｆは、それぞれ反射光ビームＬ１３のうち透過断面Ｒ１２Ａ、Ｒ１２Ｅ、Ｒ１２Ｂ及びＲ１２Ｆ（図４（Ｂ））に相当する部分をそれぞれ左方向又は右方向へ比較的小さく回折させることにより、それぞれ左方向又は右方向へ比較的中央寄りに進行する分割光ビームＬ１７Ａ、Ｌ１７Ｅ、Ｌ１７Ｂ及びＬ１７Ｆを生成する。
【００５８】
また導光領域４７Ｃ及び４７Ｄは、それぞれ反射光ビームＬ１３のうち透過断面Ｒ１２Ｃ及びＲ１２Ｄ（図４（Ｂ））に相当する部分をそれぞれ左方向又は右方向へ比較的大きく回折させることにより、左方向又は右方向の比較的外側へ進行する分割光ビームＬ１７Ｃ及びＬ１７Ｄを生成する。
【００５９】
ところで分割導光部４６及び分割導光部４７は、それぞれ複屈折性を有する材料で構成されると共に、複屈折における反射光ビームＬ１３〜Ｌ１５の各偏光方向に対する屈折率が互いに異なるように、換言すれば複屈折における進相軸及び遅相軸の方向が互いに異なるように構成されている。
【００６０】
このため、例えば図３（Ｂ）の左右方向に偏光された反射光ビームＬ１３が入射された場合、板状部材３４Ｂに形成された分割導光部４６は当該反射光ビームＬ１３に対して回折作用するものの、板状部材３４Ａに形成された分割導光部４７は当該反射光ビームＬ１３に対して回折作用せず、分割光ビームＬ１６Ａ〜Ｌ１６Ｄをそのまま透過させる。
【００６１】
一方、例えば図３（Ｂ）の前後方向（すなわち手前側又は奥側の方向）に偏光された反射光ビームＬ１３が入射された場合、これと反対に、板状部材３４Ｂに形成された分割導光部４６は当該反射光ビームＬ１３に対して回折作用せずにそのまま透過させ、板状部材３４Ａに形成された分割導光部４７は当該反射光ビームＬ１３に対して回折作用することにより分割光ビームＬ１７Ａ〜Ｌ１７Ｇに分割する。
【００６２】
このため光ピックアップ２０の分割導光パターン切換部４１（図３（Ｂ））は、アクティブ波長板４５の液晶セルに印加する電圧を変更して反射光ビームＬ１３の偏光方向を切り換えることにより、当該反射光ビームＬ１３に対して分割導光部４６により回折させるか、或いは分割導光部４７により回折させるかを切り換えることができる。
【００６３】
すなわち光ピックアップ２０の分割導光パターン切換部４１は、システムコントローラ１１の制御に基づいてアクティブ波長板４５の液晶セルへの印加電圧を変更することにより、反射光ビームＬ１３を分割光ビームＬ１６Ａ〜Ｌ１６Ｄに分割するか、或いは分割光ビームＬ１７Ａ〜Ｌ１７Ｇに分割するかといった、反射光ビームＬ１３の分割パターンを切り換えることができる。
【００６４】
また、光ピックアップ２０の分割導光パターン切換部４１は、例えば分割導光部４６又は４７をメカニカルに切り換える場合と比較して、切換動作用の空間を設ける必要がないため、極めて小型に構成することができる。
【００６５】
（１−２−３）フォトディテクタの構成
フォトディテクタ３２は、図７に示すように、分割光ビームＬ１６Ａ〜Ｌ１６Ｄ又はＬ１７Ａ〜Ｌ１７Ｇが照射される上面に、それぞれ矩形状でなる検出領域３２Ａ〜３２Ｍが設けられている。
【００６６】
検出領域３２Ｅは、仮に分割導光部４６又は４７が存在しなかった場合に当該フォトディテクタ３２に到達する反射光ビームＬ１３の光軸の位置と重なる中心点Ｕ２にその中心が重なるように配置されている。検出領域３２Ａ及び検出領域３２Ｂは、検出領域３２Ｅの左側近傍位置及び右側近傍位置にそれぞれ配置され、検出領域３２Ｃ及び検出領域３２Ｄは、それぞれ当該検出領域３２Ａの左隣及び検出領域３２Ｂの右隣に配置されている。
【００６７】
検出領域３２Ｆ及び検出領域３２Ｇは、層間迷光（詳しくは後述する）を検出するために設けられており、検出領域３２Ｃの左外方及び検出領域３２Ｄの右外方にそれぞれ配置されている。
【００６８】
検出領域３２Ｈ〜３２Ｍは、ＳＳＤ（Spot Size Detection）法に従ってフォーカスエラー信号ＳＦＥを生成するために設けられている。検出領域３２Ｈ、３２Ｉ及び３２Ｊは、矩形状の領域が前後方向に３分割されてなると共に検出領域３２Ｆの左外方に配置され、また検出領域３２Ｋ、３２Ｌ及び３２Ｍは、矩形状の領域が前後方向に３分割されてなると共に検出領域３２Ｇの右外方に配置されている。
【００６９】
因みにＳＳＤ法では、＋１次光と−１次光とにおける倍率の違いにより、フォトディテクタ３２の検出領域３２Ｈ、３２Ｉ及び３２Ｊの前後方向における幅と、フォトディテクタ３２の検出領域３２Ｋ、３２Ｌ及び３２Ｍの前後方向における幅とが同等である場合、生成されるフォーカスエラー信号ＳＦＥが非対称となってしまう（特許文献１参照）。そこでフォトディテクタ３２は、検出領域３２Ｈ、３２Ｉ及び３２Ｊの前後方向における幅が、検出領域３２Ｋ、３２Ｌ及び３２Ｍの前後方向における幅よりも広くなるようになされることにより、フォーカスエラー信号ＳＦＥが生成された際の対称性を向上させることができる。
【００７０】
フォトディテクタ３２は、各検出領域３２Ａ〜３２Ｍにそれぞれ形成されたビームスポットの光量に応じて光電変換処理を行うことによりそれぞれ電気信号を生成し、それぞれをアンプ（図示せず）によって増幅することにより１３種類の検出信号を生成するようになされている。
【００７１】
（１−３）反射光ビームの検出
光ディスク装置１は、ＢＤ−ＲＯＭディスクに対してはＤＰＤ法によるトラッキング制御を行う一方、ＢＤ−ＲＥディスクに対しては１スポットＰＰ法によるトラッキング制御を行う。このため分割導光部４６又は４７を切り替えることにより、光ディスク装置１に装填された光ディスク１００の種類に応じて、トラッキング制御を切り替えるようになされている。
【００７２】
（１−３−１）ＢＤ−ＲＥに対する信号の生成
（１−３−１−１）再生和信号の生成及び1ビームＰＰ法によるトラッキングエラー信号の生成
光ディスク装置１の光ピックアップ２０（図１）は、光ディスク１００がＢＤ−ＲＥディスクであった場合、図８（Ｂ）に示すように、アクティブ波長板４５の液晶セルへの印加電圧を変更することにより、偏光方向が前後方向となった反射光ビームＬ１３〜Ｌ１５を透過させる。
【００７３】
このとき光ピックアップ２０は、分割導光部４７により反射光ビームＬ１３を分割光ビームＬ１７Ａ〜Ｌ１７Ｇに分割し、これらをフォトディテクタ２２の検出領域３２Ａ〜３２Ｅへ照射させる。
【００７４】
この結果、フォトディテクタ３２の検出領域３２Ａ〜３２Ｅには、図９（Ｂ）に示すように、透過断面Ｒ１２Ａ〜Ｒ１２Ｇ（図４（Ｂ））とそれぞれほぼ相似形でなるビームスポットＰ１２Ａ〜Ｐ１２Ｇが形成される。
【００７５】
この場合、分割導光部４７の導光領域４７Ａ及び４７Ｅ（図６（Ａ））により分割光ビームＬ１７Ａ及びＬ１７Ｅが同一の方向へ回折されるため、フォトディテクタ３２の検出領域３２Ａには、分割光ビームＬ１７ＡによるビームスポットＰ１２Ａ及び分割光ビームＬ１７ＥによるビームスポットＰ１２Ｅが形成される。同様に、導光領域４７Ｂ及び４７Ｆ（図６（Ａ））により分割光ビームＬ１７Ｂ及びＬ１７Ｆが同一の方向へ回折されるため、フォトディテクタ３２の検出領域３２Ｂには、分割光ビームＬ１７ＢによるビームスポットＰ１２Ｂ及び分割光ビームＬ１７ＦによるビームスポットＰ１２Ｆが形成される。
【００７６】
また、フォトディテクタ３２の検出領域３２Ｃ、３２Ｄ及び３２Ｅには、分割光ビームＬ１７Ｃ、Ｌ１７Ｄ及びＬ１７ＧによるビームスポットＰ１２Ｃ、Ｐ１２Ｄ及びＰ１２Ｇがそれぞれ形成される。
【００７７】
これによりフォトディテクタ３２の検出領域３２Ａ〜３２Ｄは、それぞれビームスポットＰ１２Ａ＋Ｐ１２Ｅ、Ｐ１２Ｂ＋Ｐ１２Ｆ、Ｐ１２Ｃ及びＰ１２Ｄの各光量に応じた４種類の検出信号ＤＡ〜ＤＤを生成する。
【００７８】
これに応じて光ディスク装置１（図１）は、検出信号ＤＡ〜ＤＤを基に（１）式に従いトラッキングエラー信号ＳＴＥを生成し、ＢＤ−ＲＥディスクである光ディスク１００（図１）に対応した１ビームＰＰ法によるトラッキング制御を行う。
【００７９】
【数１】
2008257784.tif 000003
【００８０】
さらに光ディスク装置１は、検出信号ＤＣ及びＤＤを基に（２）式に従いトラックのグルーブ構造におけるウォブルの検出状態を表すプッシュプル信号ＳＰＰを生成し、ＢＤ−ＲＥディスクである光ディスク１００（図１）に対応したアドレス情報読み出しを行う。
【００８１】
【数２】
2008257784.tif 000004
【００８２】
さらに光ディスク装置１（図１）は、検出信号ＤＡ〜ＤＥを用いた（３）式に従い再生和信号ＳＰＩを生成するようになされている。
【００８３】
【数３】
2008257784.tif 000005
【００８４】
（１−３−１−２）ＳＳＤ法によるフォーカスエラー信号の生成
またフォトディテクタ３２の検出領域３２Ｈ〜３２Ｊ及び３２Ｋ〜３２Ｍには、反射光ビームＬ１４及びＬ１５に基づくビームスポットＰ１２Ｈ及びＰ１２Ｋが形成されており、当該検出領域３２Ｈ〜３２Ｊ及び３２Ｋ〜３２Ｍにおける検出信号ＤＨ〜ＤＪ及びＤＫ〜ＤＭを生成する。
【００８５】
これに応じて光ディスク装置１（図１）は、検出信号ＤＨ〜ＤＪ及びＤＫ〜ＤＭと定数αとを用いて、（４）式に従いフォーカスエラー信号ＳＦＥを生成し、当該フォーカスエラー信号ＳＦＥを基にフォーカス制御を行うようになされている。
【００８６】
【数４】
2008257784.tif 000006
【００８７】
（１−３−２）ＢＤ−ＲＯＭに対する信号の生成
光ディスク装置１の光ピックアップ２０（図１）は、光ディスク１００がＢＤ−ＲＯＭディスクであった場合、図８（Ａ）に示すように、アクティブ波長板４５の液晶セルへの印加電圧を変更することにより、偏光方向が左右方向となった反射光ビームＬ１３〜Ｌ１５を透過させる。
【００８８】
このとき光ピックアップ２０は、分割導光部４６により反射光ビームＬ１３を分割光ビームＬ１６Ａ〜Ｌ６Ｄに分割し、それぞれフォトディテクタ３２の検出領域３２Ａ〜３２Ｄへそれぞれ照射させる。
【００８９】
この結果、フォトディテクタ３２の検出領域３２Ａ〜３２Ｄには、図９（Ａ）に示すように、透過断面Ｒ１１Ａ〜Ｒ１１Ｄ（図４（Ａ））とそれぞれほぼ相似形でなるビームスポットＰ１１Ａ〜Ｐ１１Ｄが形成され、当該ビームスポットＰ１１Ａ〜Ｐ１１Ｄの各光量に応じた検出信号Ｓ１１Ａ〜Ｓ１１Ｄを生成する。
【００９０】
これに応じて光ディスク装置１（図１）は、検出信号Ｓ１１Ａ〜Ｓ１１Ｄの位相差を用いてトラッキングエラー信号ＳＴＥ１１を算出し、当該トラッキングエラー信号ＳＴＥ１１を基に、ＢＤ−ＲＯＭディスクである光ディスク１００（図１）に対応したＤＰＤ法によるトラッキング制御を行うようになされている。
【００９１】
またフォトディテクタ３２の検出領域３２Ｈ〜３２Ｊ及び３２Ｋ〜３２Ｍには、反射光ビームＬ１４及びＬ１５に基づくビームスポットＰ１１Ｈ及びＰ１１Ｋが形成されており、当該検出領域３２Ｈ〜３２Ｊ及び３２Ｋ〜３２Ｍにおける検出信号Ｓ１１Ｈ〜Ｓ１１Ｊ及びＳ１１Ｋ〜Ｓ１１Ｍを生成する。
【００９２】
これに応じて光ディスク装置１（図１）は、検出信号Ｓ１１Ｈ〜Ｓ１１Ｊ及びＳ１１Ｋ〜Ｓ１１Ｍと所定の定数αとを用いた（５）式に従いフォーカスエラー信号ＳＦＥ１１を生成し、当該フォーカスエラー信号ＳＦＥを基にフォーカス制御を行うようになされている。
【００９３】
【数５】
2008257784.tif 000007
【００９４】
さらに光ディスク装置１（図１）は、検出信号Ｓ１１Ａ〜Ｓ１１Ｄを用いた（６）式に従い再生和信号ＳＰＩ１１を生成するようになされている。
【００９５】
【数６】
2008257784.tif 000008
【００９６】
（１−４）層間迷光による影響の低減
ところで、光ディスク１００の中には、２層の信号記録層を有するものがある（以下、これを２層ディスクと呼ぶ）。光ディスク装置１は、この２層ディスクでなる光ディスク１００を再生する場合、目的とするデータが記録されている信号記録層（以下、これを対象記録層と呼ぶ）に対して出射光ビームＬ１１を合焦させることにより、当該対象記録層からデータを読み出すようになされている。
【００９７】
このとき光ディスク装置１は、光ピックアップ２０の内部において、図１０に模式的に示すように、反射光ビームＬ１３を分割した分割光ビームＬ１６Ａ〜Ｌ１６Ｄ又はＬ１７Ａ〜Ｌ１７Ｇをフォトディテクタ３２の上面に照射させることになる。
【００９８】
しかしながら光ディスク装置１では、出射光ビームＬ１１の一部が対象記録層と異なる信号記録層（以下、これを非対象記録層と呼ぶ）において反射された光ビーム、いわゆる層間迷光もフォトディテクタ３２に到達することになる。
【００９９】
例えば光ディスク装置１では、対象記録層が光ディスク１００の奥側の信号記録層、すなわちＬ０層である場合、図１１に示すように、非対象記録層であるＬ１層による迷光ビームＬ２１が分割導光部４６及び４７に対して収束光として入射する。
【０１００】
これに対して光ディスク装置１では、対象記録層が光ディスク１００のＬ１層である場合、図１０と対応する図１２に示すように、非対象記録層であるＬ０層による迷光ビームＬ２２が分割導光部４６及び４７に対して発散光として入射する。
【０１０１】
ここで光ピックアップ２０の分割導光部４７は、図６（Ａ）と対応する図１３に示すように、導光領域４７Ｃ及び４７Ｄの中心側における一部分がそれぞれ中心側へ突出し領域４７ＣＸ及び４７ＤＸ（図中に斜線で示す）を形成するように分割されている。
【０１０２】
因みに図１３には、反射光ビームＬ１３が分割導光部４７を透過する際の透過断面Ｒ１２に加えて、迷光ビームＬ２１（図１１）が分割導光部４７を透過する際の透過断面Ｒ２１及び迷光ビームＬ２２（図１２）が分割導光部４７を透過する際の透過断面Ｒ２２を示している。
【０１０３】
さらに分割導光部４７は、図９（Ｂ）に示したように、透過断面Ｒ１２（図４（Ｂ））のうち上下の部分である透過断面Ｒ１２Ａ、Ｒ１２Ｂ、Ｒ１２Ｅ及びＲ１２Ｆに対応するビームスポットＰ１２Ａ、Ｐ１２Ｂ、Ｐ１２Ｅ及びＰ１２Ｆを比較的中心点Ｕ２（図７）寄りの検出領域３２Ａ及び３２Ｂに照射させ、透過断面Ｒ１２のうち中段の透過断面Ｒ１２Ｃ及びＲ１２Ｄ対応するビームスポットＰ１２Ｃ及びＰ１２Ｄを比較的外側の検出領域３２Ｃ及び３２Ｄに照射させている。
【０１０４】
これにより光ピックアップ２０では、例えば対象記録層が光ディスク１００のＬ０層である場合、図１４（Ａ）及び（Ｂ）に示すように、Ｌ１層による層間迷光のうちフォトディテクタ３２の検出領域３２Ａ〜３２Ｄにかかって照射される部分は皆無となり、当該層間迷光がトラッキングエラー信号ＳＴＥに対して影響を及ぼさなくなる。
【０１０５】
また光ピックアップ２０では、例えば対象記録層が光ディスク１００のＬ１層である場合、図１５（Ａ）及び（Ｂ）に示すように、対象記録層が光ディスク１００のＬ０層である場合と同様、Ｌ０層による層間迷光のうちフォトディテクタ３２の検出領域３２Ａ〜３２Ｄにかかって照射される部分は皆無となり、当該層間迷光がトラッキングエラー信号ＳＴＥに対して影響を及ぼさなくなる。
【０１０６】
さらに光ピックアップ２０では、図１４（Ｂ）及び図１５（Ｂ）に示したように、フォトディテクタ３２において、Ｌ１層による層間迷光及びＬ０層による層間迷光のいずれもが検出領域３２Ｈ〜３２Ｊ及び３２Ｋ〜３２Ｍに照射されないように配置されている。
【０１０７】
このように光ピックアップ２０では、分割導光部４７の導光領域４７Ｃ及び４７Ｄの分割形状及びフォトディテクタ３２における検出領域３２Ａ〜３２Ｍの配置が工夫されていることにより、Ｌ０層による層間迷光又はＬ１層による層間迷光がトラッキングエラー信号ＳＴＥに影響を及ぼさないようになされている。
【０１０８】
ところで光ディスク１００の中には、３層以上の信号記録層を有するものがある（以下、これを多層ディスクと呼ぶ）。これに対して光ピックアップ２０では、分割導光部４７の導光領域４７Ｃ及び４７Ｄの分割形状及びフォトディテクタ３２における検出領域３２Ａ〜３２Ｍの配置が工夫されていることにより、多層ディスクでの対象記録層以外の信号記録層からの層間迷光を極力低減し得るようになされている。
【０１０９】
また光ピックアップ２０は、多層ディスクでの層間迷光がフォトディテクタ３２の検出領域３２Ａ〜３２Ｍに入射してしまう場合であっても、各分割光ビームＬ１７Ａ〜Ｌ１７Ｇの強度が層間迷光の強度に対して充分に強いため、ＤＰＰ法のように強度の弱い信号ビームを検出する領域にメインビームの層間迷光が入射する場合と比較して、層間迷光の影響を極めて小さく抑えることができる。
【０１１０】
さらに光ピックアップ２０では、分割導光部４７の導光領域４７Ｇを通過した分割光ビームＬ１７Ｇをトラッキングエラー信号検出の演算に用いないことにより、光ディスク１００における信号記録層の記録・未記録状態の違いによるトラッキングエラー信号ＳＴＥのオフセットを抑制することができる。
【０１１１】
そのうえ光ピックアップ２０では、トラックのグルーブ構造に含まれるプッシュプル信号ＳＰＰについて、分割導光部４７の導光領域４７Ｃ及び４７Ｄにより分割された分割光ビームＬ１７Ｃ及びＬ１７Ｄのみを使用することにより、特許文献４に記載されているような隣接トラックの影響による当該プッシュプル信号ＳＰＰのビート成分を抑制することができ、当該プッシュプル信号ＳＰＰの精度を向上させてアドレス情報の読み出し性能を向上させることができる。
【特許文献４】特開２００４−２７３０２４公報
【０１１２】
（１−５）再生制御信号の演算
（１−５−１）後段演算処理
光ディスク装置１（図１）は、信号処理部１７にフロントエンド回路５０を有しており、フォトディテクタ３２の受光量に応じて光ピックアップ２０から供給される演算信号に対して当該フロントエンド回路５０によって所定の後段演算処理を施すことにより、フォーカスエラー信号ＳＦＥ、トラッキングエラー信号ＳＴＥ及び再生和信号ＳＰＩ（以下、これを再生制御信号と呼ぶ）を生成するようになされている。以下、このフロントエンド回路５０について説明する。
【０１１３】
上述したように一般的にフロントエンド回路として、非点収差法及びＤＰＰ法に基づいて再生制御信号を演算する回路（以下、これをＡＳ−ＤＰＰ回路と呼ぶ）が広く用いられている。このフロントエンド回路の中には、このＡＳ−ＤＰＰ回路に加えて、例えばＰＰ法など他の方法に基づいて再生制御信号を演算できるように、汎用的な演算回路（以下、これを汎用回路）が設けられているものがある。
【０１１４】
本実施の形態では、この汎用回路を有するフロントエンド回路５０を用いると共に、当該汎用回路を用いて後段演算処理を実行するようになされている。
【０１１５】
図１６に示すように、フロントエンド回路５０は、６つの入力ピンＰＮ１〜ＰＮ６にそれぞれ演算信号が入力されると、４つの出力ピンＰＯ１〜ＰＯ４から再生和信号ＳＰＩ、フォーカスエラー信号ＳＦＥ、プッシュプル信号ＳＰＰ及びトラッキングエラー信号ＳＴＲを出力する。
【０１１６】
フロントエンド回路５０は、スイッチＳＷ１〜ＳＷ３を有しており、当該スイッチＳＷ１〜ＳＷ３により、ＡＳ−ＤＰＰ回路と汎用回路とを切り替えるようになされている。
【０１１７】
（１−５−１−１）ＡＳ−ＤＰＰ回路
図１７（Ａ）に示すように、非点収差法及びＤＰＰ法を用いる従来の光ディスク装置では、光ビームを０次光ビーム及び±1次光ビームに分離し、当該０次光ビームによるメインスポットＰＡと、±１次光ビームによるサブスポットＰＢ及びＰＣとでなる３つのスポットを光ディスクに照射する。
【０１１８】
図１７（Ｂ）に示すように、従来の光ディスク装置は、当該３つのスポットに応じた３つの反射光スポットＱＡ〜ＱＣを８つの検出領域１１０Ａ〜１１０Ｈを有するフォトディテクタ１１０によって受光する。
【０１１９】
従来の光ディスク装置は、検出領域１１０Ａ〜１１０Ｄにおける受光量に応じた検出信号ＤａＡ〜ＤａＤをそのまま演算信号Ｐａ（Ａ）〜Ｐａ（Ｄ）として入力ピンＰＮ１〜ＰＮ４にそれぞれ供給する一方、検出領域１１０Ｅによる検出信号ＤａＥから検出領域１１０Ｆによる検出信号ＤａＦを減算した演算信号Ｐａ（Ｅ−Ｆ）と、検出領域１１０Ｇによる検出信号ＤＧから検出領域１１０Ｈによる検出信号ＤＨを減算した演算信号Ｐａ（Ｇ−Ｈ）とを入力ピンＰＮ５及びＰＮ６にそれぞれ供給する。なお演算信号Ｐａでは、検出信号ＤａＡ〜ＤａＨに対応する末尾の符号をＰａの後に、その演算結果と共に示している。
【０１２０】
破線で囲んで示すＡＳ−ＤＰＰ回路（図１６）は、反転加算回路ＣＲ１と、減算回路ＣＲ２〜ＣＲ３及びＣＲ６と、加算回路ＣＲ４と、反転増幅回路ＣＲ５とから構成されている。
【０１２１】
ＡＳ−ＤＰＰ回路において、反転加算回路ＣＲ１は、入力ピンＰＮ１〜ＰＮ４から演算信号Ｐａ（Ａ）〜Ｐａ（Ｄ）が供給されると、抵抗を介して演算信号Ｐａ（Ａ）〜Ｐａ（Ｄ）をオペアンプＯＡ１の反転入力端子に入力することにより、演算信号Ｐａ（Ａ）〜Ｐａ（Ｄ）を加算すると共にその位相を反転させ、演算信号Ｐａ{−（Ａ＋Ｂ＋Ｃ＋Ｄ）}として、スイッチＳＷ１を介して反転増幅回路ＣＲ５に供給する。
【０１２２】
反転増幅回路ＣＲ５は、オペアンプＯＡ５の反転入力端子に演算信号Ｐａ{−（Ａ＋Ｂ＋Ｃ＋Ｄ）}を供給することにより、演算信号Ｐａ{−（Ａ＋Ｂ＋Ｃ＋Ｄ）}の位相を反転させて演算信号Ｐａ（Ａ＋Ｂ＋Ｃ＋Ｄ）を生成し、これを再生和信号ＳＰＩとして、出力ピンＰＯ１に送出する。
【０１２３】
減算回路ＣＲ２は、入力ピンＰＮ１〜ＰＮ４から演算信号Ｐａ（Ａ）〜Ｐａ（Ｄ）が供給されると、抵抗を介して当該演算信号Ｐａ（Ａ）及びＰａ（Ｃ）をオペアンプＯＡ２の非反転入力端子に入力し、演算信号Ｐａ（Ｂ）及びＰａ（Ｄ）をオペアンプＯＡ２の反転入力端子に入力することにより、演算信号Ｐａ（Ａ）及びＰａ（Ｃ）から演算信号Ｐａ（Ｂ）及びＰａ（Ｄ）を減算して演算信号Ｐａ{（Ａ＋Ｃ）−（Ｂ＋Ｄ）}を生成し、スイッチＳＷ２を介してフォーカスエラー信号ＳＦＥとして出力ピンＯＰ２に送出する。
【０１２４】
減算回路ＣＲ３は、入力ピンＰＮ１〜ＰＮ４から演算信号Ｐａ（Ａ）〜Ｐａ（Ｄ）が供給されると、抵抗を介して当該演算信号Ｐａ（Ａ）及びＰａ（Ｄ）をオペアンプＯＡ３の非反転入力端子に入力し、演算信号Ｐａ（Ｂ）及びＰａ（Ｃ）を反転入力端子に入力することにより、演算信号Ｐａ（Ａ）及びＰａ（Ｄ）から演算信号Ｐａ（Ｂ）及びＰａ（Ｃ）を減算して演算信号Ｐａ{（Ａ＋Ｄ）−（Ｂ＋Ｃ）}を生成し、これをプッシュプル信号ＳＰＰとして出力ピンＰＯ３に送出すると共に、スイッチＳＷ３を介して減算回路ＣＲ６に供給する。
【０１２５】
加算回路ＣＲ４は、入力ピンＰＮ５及びＰＮ６から演算信号Ｐａ（Ｅ−Ｆ）及びＰａ（Ｇ−Ｈ）が供給されると、抵抗を介して当該演算信号Ｐａ（Ｅ−Ｆ）及びＰａ（Ｇ−Ｈ）を非反転入力端子に入力することにより、演算信号Ｐａ（Ｅ−Ｆ）及びＰａ（Ｇ−Ｈ）を加算して演算信号{（Ｅ−Ｆ）＋（Ｇ−Ｈ）}を生成し、減算回路ＣＲ６に供給する。
【０１２６】
減算回路ＣＲ６は、減算回路ＣＲ３から演算信号Ｐａ{（Ａ＋Ｄ）−（Ｂ＋Ｃ）}が供給されると、抵抗を介して当該演算信号Ｐａ{（Ａ＋Ｄ）−（Ｂ＋Ｃ）}を非反転入力端子に入力する。また減算回路ＣＲ６は、加算回路ＣＲ４から演算信号Ｐａ{（Ｅ−Ｆ）＋（Ｇ−Ｈ）}が供給されると、半固定抵抗を介して当該演算信号Ｐａ{（Ｅ−Ｆ）＋（Ｇ−Ｈ）}を反転入力端子に入力することにより、半固定抵抗の抵抗値に応じた係数Ｔを演算信号Ｐａ{（Ｅ−Ｆ）＋（Ｇ−Ｈ）}に対して乗算し、これを反転入力端子に入力する。
【０１２７】
減算回路ＣＲ６は、演算信号Ｐａ{（Ａ＋Ｄ）−（Ｂ＋Ｃ）}から係数Ｔを乗算した演算信号Ｐａ{（Ｅ−Ｆ）＋（Ｇ−Ｈ）}を減算して演算信号Ｐａ〔（Ａ＋Ｄ）−（Ｂ＋Ｃ）−Ｔ{（Ｅ−Ｆ）＋（Ｇ−Ｈ）} 〕を生成し、これをトラッキングエラー信号ＳＴＥとして出力ピンＰＯ４に送出する。
【０１２８】
このようにＡＳ−ＤＰＰ回路では、予め非点収差法及びＤＰＰ法に基づいて再生制御信号を生成するように設計されているため、検出信号ＤａＡ〜ＤａＨに対して殆ど前段演算処理を施さなくても、再生制御信号を生成し得るようになされている。
【０１２９】
（１−５−１−２）汎用回路
図１８に示すように、破線で囲んで示す汎用回路は、反転加算回路ＣＲ１１と、減算回路ＣＲ１２、ＣＲ１３及びＣＲ６と、加算回路ＣＲ４と、反転増幅回路ＣＲ５とから構成されている。なお演算信号Ｐでは、カッコ内に当該入力ピンＰＮ１〜ＰＮ６に対応する末尾の数字にＰを付加することにより、入力される演算信号ＰをＰ（Ｐ１）〜Ｐ（Ｐ６）として表すと共に、汎用回路における演算結果をカッコ内に示す。
【０１３０】
汎用回路において、反転加算回路ＣＲ１１は、入力ピンＰＮ１及びＰＮ２から演算信号Ｐ（Ｐ１）及びＰ（Ｐ２）が供給されると、抵抗を介して当該演算信号Ｐ（Ｐ１）及びＰ（Ｐ２）をオペアンプＯＡ１１の反転入力端子に入力することにより、演算信号Ｐ（Ｐ１）及びＰ（Ｐ２）を加算すると共にその位相を反転させ、演算信号Ｐ{−（Ｐ１＋Ｐ２）}として、スイッチＳＷ１を介して反転増幅回路ＣＲ５に供給する。
【０１３１】
反転増幅回路ＣＲ５は、オペアンプＯＡ５の反転入力端子に演算信号Ｐ{−（Ｐ１＋Ｐ２）}を供給することにより、演算信号Ｐ{−（Ｐ１＋Ｐ２）}の位相を反転させて演算信号Ｐ（Ｐ１＋Ｐ２）を生成し、これを再生和信号ＳＰＩとして、出力ピンＰＯ１に送出する。
【０１３２】
減算回路ＣＲ１２は、入力ピンＰＮ３及びＰＮ４から演算信号Ｐ（Ｐ３）及びＰ（Ｐ４）が供給されると、抵抗を介して当該演算信号Ｐ（Ｐ３）をオペアンプＯＡ１２の非反転入力端子に入力し、演算信号Ｐ（Ｐ４）をオペアンプＯＡ１２の反転入力端子に入力することにより、演算信号Ｐ（Ｐ３）から演算信号Ｐ（Ｐ４）を減算して演算信号Ｐ（Ｐ３−Ｐ４）を生成し、スイッチＳＷ２を介してフォーカスエラー信号ＳＦＥとして出力ピンＯＰ２に送出する。
【０１３３】
減算回路ＣＲ１３は、入力ピンＰＮ１及びＰＮ２から演算信号Ｐ（Ｐ１）及びＰ（Ｐ２）が供給されると、抵抗を介して当該演算信号Ｐ（Ｐ１）をオペアンプＯＡ１３の非反転入力端子に入力し、演算信号Ｐ（Ｐ２）を反転入力端子に入力することにより、演算信号Ｐ（Ｐ１）から演算信号Ｐ（Ｐ２）を減算して演算信号Ｐ（Ｐ１−Ｐ２）を生成し、これをプッシュプル信号ＳＰＰとして出力ピンＰＯ３に送出すると共に、スイッチＳＷ３を介して反転増幅回路ＣＲ６に供給する。
【０１３４】
加算回路ＣＲ４は、入力ピンＰＮ５から演算信号Ｐ（Ｐ５）及びＰ（Ｐ６）が供給されると、抵抗を介して当該演算信号Ｐ（Ｐ５）及びＰ（Ｐ６）を非反転入力端子に入力することにより、演算信号Ｐ（Ｐ５）及びＰ（Ｐ６）を加算して演算信号Ｐ（Ｐ５＋Ｐ６）を生成し、減算回路ＣＲ６に供給する。
【０１３５】
減算回路ＣＲ６は、減算回路ＣＲ１３から演算信号Ｐ（Ｐ１−Ｐ２）が供給されると、抵抗を介して当該演算信号Ｐ（Ｐ１−Ｐ２）を非反転入力端子に入力する。また減算回路ＣＲ６は、加算回路ＣＲ４から演算信号Ｐ（Ｐ５＋Ｐ６）が供給されると、半固定抵抗を介して当該演算信号Ｐ（Ｐ５＋Ｐ６）を反転入力端子に入力することにより、半固定抵抗の抵抗値に応じた係数Ｋを演算信号Ｐ（Ｐ５＋Ｐ６）に対して乗算し、反転入力端子に入力する。
【０１３６】
減算回路ＣＲ６は、演算信号Ｐ（Ｐ１−Ｐ２）から係数Ｋを乗算した演算信号Ｐ{Ｋ（Ｐ５＋Ｐ６）}を減算して演算信号Ｐ〔（Ｐ１−Ｐ２）−Ｋ（Ｐ５＋Ｐ６）〕を生成し、これをトラッキングエラー信号ＳＴＥとして出力ピンＰＯ４に送出する。
【０１３７】
このようにフロントエンド回路５０における汎用回路では、入力ピンＰＮ１を介して供給される演算信号Ｐ（Ｐ１）と、入力ピンＰＮ２を介して供給される演算信号Ｐ（Ｐ２）とを単純に加算することにより再生和信号ＳＰＩを生成すると共に、同一の演算信号Ｐ（Ｐ１）及びＰ（Ｐ２）を用いて、演算信号Ｐ（Ｐ１）から演算信号Ｐ（Ｐ２）を減算した演算信号（Ｐ１−Ｐ２）から、入力ピンＰＮ５及びＰＮ６を介して供給される演算信号（Ｐ５）及び（Ｐ６）を加算した演算信号（Ｐ５＋Ｐ６）を、係数Ｋを乗算した上で減算することにより、トラッキングエラー信号ＳＴＥを生成する。
【０１３８】
また汎用回路では、入力ピンＰＮ３を介して供給される演算信号Ｐ（Ｐ３）から入力ピンＰＮ４を介して供給される演算信号Ｐ（Ｐ４）を単純に減算することにより、フォーカスエラー信号ＳＦＥを生成する。
【０１３９】
すなわち汎用回路では、再生和信号ＳＰＩ及びトラッキングエラー信号ＳＴＥの生成に用いられる演算信号Ｐを２つの演算信号Ｐ（Ｐ１）及びＰ（Ｐ２）のみに限定し、当該演算信号Ｐ（Ｐ１）及びＰ（Ｐ２）とは異なる入力ピンＰＮ３及びＰＮ４から供給される演算信号Ｐ（Ｐ３）及びＰ（Ｐ４）を用いてフォーカスエラー信号ＳＦＥを生成することにより、演算信号Ｐ（Ｐ１）及びＰ（Ｐ２）とは異なる演算信号Ｐ（Ｐ３）及びＰ（Ｐ４）からフォーカスエラー信号ＳＦＥを生成できるようになされている。
【０１４０】
このように汎用回路では、種々のフォーカス制御方法及びトラッキング制御方法に対応し得るよう、各種フォーカス制御方法及びトラッキング制御方法において最低限必要と想定される演算のみを後段演算処理として施すようになされている。
【０１４１】
（１−５−２）前段演算処理
本実施の形態では、上述した汎用回路による後段演算処理によって最終的にＳＳＤ法及び１スポットＰＰ法に基づく再生制御信号を算出するために、光ピックアップ２０の信号演算部１９によって前段演算処理を実行するようになされている。
【０１４２】
（１−５−２−１）フォーカスエラー信号に対する演算信号の算出
まず、フォーカスエラー信号ＳＦＥの生成に使用される演算信号Ｐ（Ｐ３）及びＰ（Ｐ４）の算出について説明する。
【０１４３】
上述したように、光ディスク装置１は、ＳＳＤ法に基づくフォーカスエラー信号ＳＦＥを、（４）式に従って算出する必要がある。（４）式では、前段の第１項から後段の第２項が減算されることによりフォーカスエラー信号ＳＦＥが算出されている。
【０１４４】
ここで光ディスク装置１は、後段演算処理によって演算信号Ｐ（Ｐ３）からＰ（Ｐ４）を減算するため、次式に示すように、演算信号Ｐ（Ｐ３）に対して第１項を、演算信号Ｐ（Ｐ４）に対して第２項を割り当てることにより、後段演算処理によって（４）式に合致するフォーカスエラー信号ＳＦＥを生成することができる。
【０１４５】
【数７】
2008257784.tif 000009
【０１４６】
【数８】
2008257784.tif 000010
【０１４７】
（１−５−２−２）再生和信号及びトラッキングエラー信号に対する演算信号の算出
次に、再生和信号ＳＰＩ及びトラッキングエラー信号ＳＴＥの生成に使用される演算信号Ｐ（Ｐ１）、Ｐ（Ｐ２）及びＰ（Ｐ５）の算出について説明する。
【０１４８】
まず演算信号Ｐ（Ｐ５）はトラッキングエラー信号ＳＴＥにのみ用いられるため他の再生制御信号との関係を考慮する必要はなく、光ディスク装置１は、単純に次式を演算信号Ｐ（Ｐ５）に対して次式を割り当てることにより、トラッキングエラー信号ＳＴＥにおける後段の第２項部分を算出することができる。
【０１４９】
【数９】
2008257784.tif 000011
【０１５０】
上述したように、光ディスク装置１は、再生和信号ＳＰＩを（３）式に従って、トラッキングエラー信号ＳＴＥを（１）式に従って算出する必要がある。このため（３）式及び（１）式の両方を満たすように演算信号Ｐ（Ｐ１）及びＰ（Ｐ２）を算出する必要がある。
【０１５１】
すなわち光ディスク装置１は、演算信号Ｐ（Ｐ１）からＰ（Ｐ２）を減算することにより（１）式における前段の第１項を得、かつ演算信号Ｐ（Ｐ１）からＰ（Ｐ２）を加算することにより、（３）式を得なければならない。
【０１５２】
ここで、（１）式における前段の第１項において使用しない検出信号ＤＡ、ＤＢ及びＤＥに「１／２」を乗算すれば、演算信号Ｐ（Ｐ１）及びＰ（Ｐ２）を加算したときにはそれぞれ「１」に戻し、演算信号Ｐ（Ｐ１）からＰ（Ｐ２）を減算することにより、検出信号ＤＡ、ＤＢ及びＤＥを相殺することができる。
【０１５３】
そこで光ディスク装置１は、次式を演算信号Ｐ（Ｐ１）及びＰ（Ｐ２）に割り当てることにより、後段演算処理によって（４）式に合致する再生和信号ＳＰＩ及び（１）式の第１項に合致するトラッキングエラー信号ＳＴＥを生成することができる。なお光ディスク装置１は、（１）式の第１項と同一となるプッシュプル信号ＳＰＰについても同様に生成することができる。
【０１５４】
【数１０】
2008257784.tif 000012
【０１５５】
【数１１】
2008257784.tif 000013
【０１５６】
（１−５−２−３）再生制御信号の生成
光ディスク装置１は、光学ピックアップのサーボ方式がＳＳＤ法及び１スポットＰＰ法であることを認識すると、演算に使用する回路を汎用回路に切り替える。
【０１５７】
すなわち光ディスク装置１のシステムコントローラ１１フロントエンド回路５０に切替信号を供給することにより、フロントエンド回路５０のスイッチＳＷ１〜ＳＷ３を反転加算回路ＣＲ１１、減算回路ＣＲ１２及び減算回路ＣＲ１３に接続し、再生制御信号の生成に使用する回路を汎用回路に切り替える。またシステムコントローラ１１は、信号演算部１９に演算要求信号を供給することにより、信号演算部１９に演算信号Ｐ（Ｐ１）〜Ｐ（Ｐ５）を生成させる。
【０１５８】
信号演算部１９は、検出領域３２Ａ〜３２Ｍによる検出信号ＤＡ〜ＤＭが供給されると、（７）式〜（１１）式に従って当該検出信号ＤＡ〜ＤＭから演算信号Ｐ（Ｐ１）〜Ｐ（Ｐ５）を演算し、当該演算信号Ｐ（Ｐ１）〜Ｐ（Ｐ５）を入力ピンＰＮ１〜ＰＮ５にそれぞれ入力する。
【０１５９】
フロントエンド回路５０は、入力ピンＰＮ１〜ＰＮ５から供給される演算信号Ｐ（Ｐ１）〜Ｐ（Ｐ５）を汎用回路に供給し、再生和信号ＳＰＩ、フォーカスエラー信号ＳＦＥ、トラッキングエラー信号ＳＴＥ、プッシュプル信号ＳＰＰをそれぞれ生成する。
【０１６０】
これにより光ディスク装置１は、後段演算処理によって式（３）、（４）式及び式（１）式に合致する再生和信号ＳＰＩ、フォーカスエラー信号ＳＦＥ及びトラッキングエラー信号ＳＴＥを生成し得るようになされている。
【０１６１】
なお光ディスク装置１は、光ディスク１００がＢＤ−ＲＥディスクである場合には、汎用回路を用いてフォーカスエラー信号ＳＦＥ、トラッキングエラー信号ＳＴＥ、再生和信号ＳＰＩ及びプッシュプル信号ＳＰＰをそれぞれ生成する一方、ＢＤ−ＲＯＭである場合には、汎用回路を用いてフォーカスエラー信号ＳＦＥを生成し、他の演算回路を用いてトラッキングエラー信号ＳＴＥ、再生和信号ＳＰＩ及びプッシュプル信号ＳＰＰを生成する。
【０１６２】
（１−６）動作及び効果
以上の構成において、光ディスク装置１は、光ビームである出射光ビームＬ１１が光ディスク１００によって反射されてなる反射光ビームＬ１２を、０次光でなるメイン反射光ビームである反射光ビームＬ１３と、当該メイン反射光ビームに対する回折角度を互いに相違させることにより、焦点距離を互いに相違させた±１次光でなる２つのサブ反射光ビームである反射光ビームＬ１４及びＬ１５に分離する。
【０１６３】
光ディスク装置１は、反射光ビームＬ１３を光ディスク１００の信号記録層の所望トラックに対する出射光ビームＬ１１のずれに応じた受光量を２つのずれ検出領域である検出領域３２Ｃ及び３２Ｄによって受光し、当該検出領域３２Ｃ及び３２Ｄ以外の他検出領域である検出領域３２Ａ、３２Ｂ及び３２Ｅによって受光して受光量に応じた検出信号ＤＡ〜ＤＥをそれぞれ生成し、中心光検出領域である検出領域３２Ｉ及び３２Ｌ、並びに２つの端部光検出領域である検出領域３２Ｈ、３２Ｊ及び３２Ｋ、３２Ｍでなる２組の検出領域群（検出領域３２Ｈ〜３２Ｊ及び３２Ｋ〜３２Ｍ）によって２つの反射光ビームＬ１４及びＬ１５をそれぞれ受光することにより、出射光ビームＬ１１の信号記録層に対する焦点のずれ量を表す２つの反射光ビームＬ１４及びＬ１５における検出領域３２Ｈ〜３２Ｍ上でのサイズの変化に応じた検出信号ＤＨ〜ＤＭをそれぞれ生成する。
【０１６４】
ここで光ディスク装置１は、第１の演算信号である演算信号Ｐ（Ｐ１）及び第２の演算信号である演算信号Ｐ（Ｐ２）を加算することにより再生和信号ＳＰＩを生成し、第３の演算信号である第２演算信号Ｐ（Ｐ３）から第４の演算信号である演算信号Ｐ（Ｐ４）を減算することによりフォーカスエラー信号ＳＦＥを生成し、演算信号Ｐ（Ｐ１）から演算信号Ｐ（Ｐ１）を減算した差信号から、対物レンズの移動量に応じたオフセット量を表す第５の演算信号である演算信号Ｐ（Ｐ５）に第１の係数である係数Ｋを乗算した乗算信号を減算することによりトラッキングエラー信号ＳＴＥを生成する汎用のフロントエンド回路５０を有している。
【０１６５】
そして光ディスク装置１は、検出領域３２Ａ、３２Ｂ及び３２Ｅの受光量に応じた検出信号ＤＡ、ＤＢ及びＤＥの和に１／２を乗算し、これに一のずれ検出領域である検出領域３２Ｄの受光量に応じた検出信号ＤＤを加算した和信号を第１の演算信号Ｐ（Ｐ１）とし、検出領域３２Ａ、３２Ｂ及び３２Ｅの受光量に応じた検出信号ＤＡ、ＤＢ及びＤＥの和に１／２を乗算して加算し、これに他のずれ検出領域である検出領域３２Ｃの受光量に応じた検出信号ＤＣを加算した和信号を第２の演算信号Ｐ（Ｐ２）とするようにした。
【０１６６】
これにより光ディスク装置１は、演算信号Ｐ（Ｐ１）と演算信号Ｐ（Ｐ２）とを加算するだけの単純な構成でなる反転加算回路ＣＲ１１及び反転増幅回路ＣＲ５によって再生和信号ＳＰＩ（（３）式）を生成することができると共に、演算信号Ｐ（Ｐ１）から演算信号Ｐ（Ｐ２）を減算し、演算信号Ｐ（Ｐ５）に係数Ｋを乗算した乗算信号を減算するだけの単純な構成でなる減算回路ＣＲ１３及びＣＲ６によって１スポットＰＰ法に基づくトラッキングエラー信号ＳＴＥ（（１）式））を生成することができる。
【０１６７】
また光ディスク装置１は、一の反射光ビームＬ１５に応じた検出信号ＤＫ〜ＤＭのうち、検出領域３２Ｋ及び３２Ｍの受光量に応じた一の端部検出信号群である検出信号ＤＫ及びＤＭを加算した和信号に第２の係数である係数αを乗算し、これに検出領域３２Ｉに応じた他の中心検出信号である検出信号ＤＩを加算した和信号を演算信号Ｐ（Ｐ３）とし、他の反射光ビームＬ１４に応じた検出信号ＤＨ〜ＤＪのうち、検出領域の受光量に応じた他の端部検出信号群である検出信号ＤＨ及びＤＪを加算した和信号に第２の係数である係数αを乗算し、これに検出領域３２Ｌの受光量に応じた一の中心検出信号である検出信号ＤＬを加算した和信号を演算信号Ｐ（Ｐ４）とするようにした。
【０１６８】
これにより光ディスク装置１は、演算信号Ｐ（Ｐ３）から演算信号Ｐ（Ｐ４）を減算するだけの単純な構成でなる減算回路ＣＲ１２によって、ＳＳＤ法に基づくフォーカスエラー信号ＳＦＥ（（４）式）を生成することができる。
【０１６９】
光ディスク装置１は、演算信号Ｐ（Ｐ５）に対して他の信号である演算信号Ｐ（Ｐ６）を加算する加算回路ＣＲ４を汎用回路に有し、検出領域３２Ａ、３２Ｂ及び３２Ｅのうち、対物レンズの移動量に応じたオフセット量を検出するオフセット検出領域である検出領域３２Ａ及び３２Ｂの差信号を演算信号Ｐ（Ｐ５）とし、演算信号Ｐ（Ｐ６）を生成しないことにより、演算信号Ｐ（Ｐ１）から演算信号Ｐ（Ｐ２）を減算した差信号から、演算信号Ｐ（Ｐ５）に係数Ｋを乗算した乗算信号をそのまま減算することができ、（１）式によるトラッキングエラー信号ＳＴＥを適切に生成することができる。
【０１７０】
以上の構成によれば、光ディスク装置１は、再生和信号ＳＰＩ及びトラッキングエラー信号ＳＴＥを生成するための演算信号Ｐ（Ｐ１）、Ｐ（Ｐ２）及びＰ（Ｐ５）を、フォーカスエラー信号ＳＦＥを生成するための演算信号Ｐ（Ｐ３）及びＰ（Ｐ４）と完全に分離させることにより汎用性を持たせた汎用回路を有するフロントエンド回路５０に対して、検出信号ＤＡ〜ＤＭに対して当該汎用回路の構成に合わせて前段演算処理を施した演算信号Ｐ（Ｐ１）〜Ｐ（Ｐ５）を供給することにより、フロントエンド回路５０の後段演算処理によって当該フロントエンド（３）式、（４）式及び（１）式に基づく再生和信号ＳＰＩと、フォーカスエラー信号ＳＦＥと、トラッキングエラー信号ＳＴＥとを生成することができ、かくしてフロントエンド回路を変更しなくてもＳＳＤ法及び１スポットＰＰ法に対応したフォーカスエラー信号、トラッキングエラー信号及び再生和信号を生成し得る光ディスク装置及び光ピックアップを実現できる。
【０１７１】
（２）第２の実施の形態
（２−１）光ピックアップの構成
第２の実施の形態では、図２〜図１８との対応部分に同一符号を付した図１９に示すように、光集積素子２１（図２）に有していた各光学部品を独立した部品として構成している。また、ＢＤ−ＲＥディスク又はＢＤ−ＲＯＭディスクのいずれであるかに応じて、分光導光パターン切替部８４によって分光導光部８６及び８７を物理的に可動させて当該分光導光部８６及び８７を切り替えるようになされている。なお、光ディスク装置１としての構成は図１と同一であるため、便宜上、説明を省略する。
【０１７２】
この場合、光ピックアップ８０は、システムコントローラ３１（図１）の制御に基づき、レーザダイオード３１から出射光ビームＬ１１を出射させ、１／２波長板３９により出射光ビームＬ１１の偏光面を所定の角度だけ回転させて偏光プリズム３５へ入射させる。
【０１７３】
偏光プリズム３５の偏光膜３５Ａは、出射光ビームＬ１１における光量のほぼ全てを透過させ、コリメータレンズ２２の方向へ出射すると共に、当該出射光ビームＬ１１における光量の一部を反射させてレーザ光量モニタ用フォトディテクタ８１に入射させる。
【０１７４】
続いて光ピックアップ８０は、カップリングレンズ８２、コリメータレンズ２２、立ち上げミラー２４、１／４波長板２３を順次介して、出射光ビームＬ１１を対物レンズ２５により光ディスク１００（図１）における信号記録層上の所望トラックに合焦させる。
【０１７５】
因みにカップリングレンズ８２は、コリメータレンズ２２における焦点距離を引き延ばすことにより、光ビームにおける瞳端強度の低下を防止するようになされている。
【０１７６】
これと並行してシステムコントローラ３１（図１）は、レーザ光量モニタ用フォトディテクタ３２に入射する光量を検出してフィードバック制御することにより、レーザダイオード３１から出射させる出射光ビームＬ１１の出射強度を所望の強度に調整するようになされている。
【０１７７】
また光ピックアップ８０は、光ディスク１００（図８）の信号記録層において出射光ビームＬ１１が反射された反射光ビームＬ１２を、対物レンズ２５、１／４波長板２３、立ち上げミラー２４、コリメータレンズ２２及びカップリングレンズ８２を順次介して偏光プリズム３５へ入射させる。
【０１７８】
偏光プリズム３５は、反射光ビームＬ２２を偏光面５５Ａにおいて反射させ、フォーカスサーボ用ホログラム板８３へ入射させる。フォーカスサーボ用ホログラム板８３は、フォーカスサーボ用ホログラム４４（図３（Ｂ））と同様のホログラムが形成されており、反射光ビームＬ１２を０次光ビームＬ１３、＋１次光ビームＬ１４及び−１次光ビームＬ１５に分光させ、それぞれ分割導光パターン切換部８４へ入射させる。
【０１７９】
分割導光パターン切換部８４は、図３（Ｂ）における分割導光パターン切換部４１と同様の機能を有しているものの、その構造は分割導光パターン切換部４１とは異なっている。すなわち分割導光パターン切換部８４は、図２４に示すように、分割導光部８６が形成されたスライド板８５をアクチュエータ（図示せず）により前方向又は後方向へ移動させるようになされている。
【０１８０】
これにより分割導光パターン切換部８４は、分割導光部８６に対する反射光ビームＬ１３の照射箇所を切り換えることができ、この結果、反射光ビームＬ１３の分割パターンを切り換え（詳しくは後述する）、分割後の反射光ビームをフォトディテクタ３２へ照射させるようになされている。
【０１８１】
このように光ピックアップ８０は、分割導光パターン切換部８４においてスライド板１２５を機械的に移動させることにより、分割導光部８６に対する反射光ビームＬ１３の照射箇所を切り換え、当該反射光ビームＬ１３の分割パターンを切り換えるようになされている。
【０１８２】
図２０に示すように、分割導光部８６は、第1の実施の形態における分割導光部４６（図５）及び分割導光部４７（図６）と比較して、全体が長方形状に形成されると共に６分割されている点が大きく異なっている。
【０１８３】
分割導光部８６の導光領域８６Ａ及び８６Ｅ、８６Ｂ及び８６Ｆは、分割導光部４６の導光領域４６Ａ及び４６Ｄと同様のブレーズドＨＯＥでなるホログラムが形成されており、反射光ビームＬ１３の一部を左方向又は右方向へ比較的小さく回折させるようになされている。また分割導光部８６の導光領域８６Ｃ及び８６Ｄは、分割導光部４６の導光領域４６Ｂ及び４６Ｃと同様のブレーズドＨＯＥでなるホログラムが形成されており、反射光ビームＬ１３の一部を左方向又は右方向へ比較的大きく回折させるようになされている。
【０１８４】
（２−２）ＢＤ−ＲＥに対する再生制御信号の生成
光ピックアップ８０（図１９）は、光ディスク１００がＢＤ−ＲＥディスクであった場合、分割導光パターン切換部８４（図２０）によりスライド板８５を後方向に移動させ、図２２（Ａ）に示すように、導光領域８６Ｃ及び８６Ｄの境界線におけるほぼ中心となる位置に、反射光ビームＬ１３が分割導光板８６を透過する際の透過断面Ｒ２２の中心を重ねさせる。
【０１８５】
これにより分割導光板８６は、６つの導光領域８６Ａ〜８６Ｆによって、反射光ビームＬ１２を断面形状がそれぞれ透過断面Ｒ２２Ａ〜Ｒ２２Ｆでなる６本の光ビームに分割し、フォトディテクタ３２へそれぞれ照射させる。このフォトディテクタ３２（図示しない）は、図７に示したフォトディテクタ３２における検出領域３２Ｅを有していない以外は、同一構成でなる。
【０１８６】
この結果、図２２（Ｂ）に示すように、フォトディテクタ３２の検出領域３２Ａ〜３２Ｄは、図９（Ｂ）における検出領域３２Ａ〜３２Ｄと同様に、透過断面Ｒ２２Ａ〜Ｒ２２Ｆとほぼ相似形でなるビームスポットＰ２２Ａ〜Ｐ２２Ｆが形成され、ビームスポットＰ２２Ａ＋Ｐ２２Ｅ、Ｐ２２Ｂ＋Ｐ２２Ｆ、Ｐ２２Ｃ及びＰ２２Ｄの各光量に応じた４種類の検出信号ＤＡ、ＤＢ、ＤＣ及びＤＤを生成する。
【０１８７】
このとき光ディスク装置１（図１）のシステムコントローラ１１は、フロントエンド回路５０（図１８）のスイッチＳＷ１〜３を汎用回路に切り替える。またシステムコントローラ１１は、信号演算部１９によって次式に従って検出信号ＤＡ、ＤＢ、ＤＣ及びＤＤに前段演算処理を施すことにより、（１２）式及び（１３）式に従って演算信号Ｐ（Ｐ１）及びＰ（Ｐ２）を生成すると共に、（９）式に従ってＰ（Ｐ５）を生成し、フロントエンド回路５０の入力ピンＰＮ１及びＰＮ２にそれぞれ入力する。
【０１８８】
【数１２】
2008257784.tif 000014
【０１８９】
【数１３】
2008257784.tif 000015
【０１９０】
これに応じてフロントエンド回路５０の汎用回路は、後段演算処理によって演算信号Ｐ（Ｐ１）、Ｐ（Ｐ２）及びＰ（Ｐ５）を用いてトラッキングエラー信号ＳＴＥを生成し、ＢＤ−ＲＥディスクである光ディスク１００（図１）に対応した１ビームＰＰ法によるトラッキング制御を行うようになされている。
【０１９１】
また光ディスク装置１は、第１の実施の形態と同様にフォーカスエラー信号ＳＦＥ及び再生和信号ＳＰＩを生成するようになされている。
【０１９２】
すなわちシステムコントローラ１１は、信号演算部１９によって第１の実施の形態と同様に、検出領域３２Ｈ〜３２Ｍによって生成した検出信号ＤＨ〜ＤＭから（７）式及び（８）式に従って演算信号Ｐ（Ｐ３）及びＰ（Ｐ４）を生成し、フロントエンド回路５０の入力ピンＰＮ３及びＰＮ４にそれぞれ入力する。
【０１９３】
これに応じてフロントエンド回路５０の汎用回路は、後段演算処理によって演算信号Ｐ（Ｐ３）及びＰ（Ｐ４）からフォーカスエラー信号ＳＦＥを生成し、ＳＳＤ法によるトラッキング制御を行うようになされている。
【０１９４】
このように光ピックアップ８０は、（１２）式及び（１３）式によって算出される演算信号Ｐ（Ｐ１）及びＰ（Ｐ２）を汎用回路に供給することにより、（１）式に合致するトラッキングエラー信号ＳＴＥを生成し得るようになされている。
【０１９５】
（２−３）ＢＤ−ＲＯＭに対する再生制御信号の生成
実際上、光ピックアップ８０（図１９）は、光ディスク１００がＢＤ−ＲＯＭディスクであった場合、分割導光パターン切換部８４（図２０）によりスライド板８５を前方向へ移動させることにより、図２３（Ａ）に示すように、導光領域８６Ｃ、８６Ｄ、８６Ｅ及び８６Ｆのほぼ中心となる位置に、反射光ビームＬ１３が分割導光板８６を透過する際の透過断面Ｒ２１の中心を重ねさせる。
【０１９６】
これにより分割導光板８６は、４つの導光領域８６Ｃ〜８６Ｆによって、反射光ビームＬ１２を断面形状がそれぞれ透過断面Ｒ２１Ａ〜Ｒ２１Ｄでなる４本の光ビームに分割し、フォトディテクタ３２（図２３）へそれぞれ照射させる。
【０１９７】
この結果、図２３（Ｂ）に示すように、フォトディテクタ３２の検出領域３２Ａ〜３２Ｄには、図９（Ａ）における検出領域３２Ａ〜３２Ｄと同様に、透過断面Ｒ２１Ｅ、Ｒ２１Ｆ、Ｒ２１Ｃ及びＲ２１Ｄとほぼ相似形でなるビームスポットＰ２１Ａ、Ｐ２１Ｂ、Ｐ２１Ｃ及び〜Ｐ２１Ｄが形成され、当該ビームスポットＰ２１Ａ〜Ｐ２１Ｄの各光量に応じた検出信号Ｓ１１Ａ〜Ｓ１１Ｄを生成する。
【０１９８】
そして光ディスク装置１は、第１の実施の形態と同様にＳＳＤ法によるフォーカスエラー信号ＳＦＥ１１、ＤＰＤ法によるトラッキングエラー信号ＳＴＥ１１及び再生和信号ＳＰＩ１１を生成するようになされている。
【０１９９】
因みに図２３（Ｂ）では、図９（Ｂ）と比較して、ビームスポットＰ２１Ａ及びＰ２１Ｃの形成される位置がビームスポットＰ１１Ａ及びＰ１１Ｃと逆になっているものの、光ディスク装置１では、このことが考慮された上でトラッキングエラー信号ＳＴＥ１１、フォーカスエラー信号ＳＦＥ１１及び再生和信号ＳＰＩ１１等が算出されるようになされている。
【０２００】
（２−４）動作及び効果
以上の構成において、光ディスク装置１は、分光導光板８６を可動にしてＢＤ−ＲＥディスク又はＢＤ−ＲＯＭディスクに応じてＤＰＤ法に対応する導光領域を機械的に８６Ｃ、８６Ｄ、８６Ｅ及び８６Ｆ又は１ビームＰＰ法に対応する導光領域８６Ａ〜８６Ｆを切り替えるようにしたことにより、上述した第1の実施の形態と同様の効果を得ることができる。
【０２０１】
（３）他の実施の形態
なお上述の実施の形態においては、分割導光部４７によって反射光ビームＬ１３を反射光ビームＬ１７Ａ〜Ｌ１７Ｇに分割するようにした場合について述べたが、本発明はこれに限らず、分割導光部４７介さずにそのまま反射光ビームＬ１３をフォトディテクタ９０で受光するようにしても良い。
【０２０２】
この場合、光ディスク装置１における光ピックアップ（図示せず）は、光ピックアップ８０（図１９）と比較して、分割導光パターン切替部８４（図１９）を有さず、フォトディテクタ３２の代わりに図２４に示すフォトディテクタ９０を有する点が相違する。
【０２０３】
また図２４に示すように、光ディスク装置１は、反射光ビームＬ１３を分割光ビームＬ１７に分離することなくそのまま当該フォトディテクタ９０における６つの検出領域９０Ａａ、９０Ａｂ、９０Ｂａ、９０Ｂｂ、９０Ｃ及び９０Ｄによって受光し、受光量に応じた検出信号ＤＡａ、ＤＡｂ、ＤＢａ、ＤＢｂ、ＤＣ及びＤＤを生成する。
【０２０４】
このとき信号演算部１９は、前段演算処理により、（１４）式及び（１５）式に従って演算信号Ｐ（Ｐ１）及びＰ（Ｐ２）を生成すると共に、（９）式に従ってＰ（Ｐ５）を生成し、フロントエンド回路５０の入力ピンＰＮ１及びＰＮ２にそれぞれ入力する。
【０２０５】
【数１４】
2008257784.tif 000016
【０２０６】
【数１５】
2008257784.tif 000017
【０２０７】
これに応じてフロントエンド回路５０の汎用回路は、後段演算処理によって演算信号Ｐ（Ｐ１）、Ｐ（Ｐ２）及びＰ（Ｐ５）から（１）式に合致するトラッキングエラー信号ＳＴＥを生成する。これにより光ディスク装置１は、ＢＤ−ＲＥディスクである光ディスク１００（図１）に対応した１ビームＰＰ法によるトラッキング制御を行うようになされている。
【０２０８】
また光ディスク装置１は、フォトディテクタ９０における検出領域９０Ｈ〜９０Ｍに応じた検出信号ＤＨ〜ＤＭを生成し、第１の実施の形態と同様にしてフォーカスエラー信号ＳＦＥを生成するようになされている。
【０２０９】
また上述の実施の形態においては、（４）式に従ったフォーカスエラー信号ＳＦＥを生成するために、（７）式及び（８）式に従って演算信号Ｐ（Ｐ３）及びＰ（Ｐ４）を算出するようにした場合について述べたが、本発明はこれに限らず、例えば（４）式を変形すると（１６）式を得ることができる。
【０２１０】
【数１６】
2008257784.tif 000018
【０２１１】
従って、この（１６）式における第１項と第２項を演算信号Ｐ（Ｐ３）及びＰ（Ｐ４）にそれぞれ当てはめることにより、演算信号Ｐ（Ｐ３）及びＰ（Ｐ４）を（１７）式及び（１８）式に従って算出することができる。
【０２１２】
【数１７】
2008257784.tif 000019
【０２１３】
【数１８】
2008257784.tif 000020
【０２１４】
このように、他のサブ反射光ビームである反射光ビームＬ１４に応じた検出信号ＤＩ〜ＤＪのうち、２つの端部光検出領域である検出領域３２Ｈ〜３２Ｊの受光量に応じた他の端部検出信号である検出信号ＤＨ及びＤＪを加算した和信号に第２の係数αを乗算し、これを中心光検出領域である検出領域３２Ｉの受光量に応じた他の中心検出信号である検出信号ＤＩから減算した和信号を演算信号Ｐ（Ｐ３）とし、一のサブ反射光ビームである反射光ビームＬ１５に応じた検出信号ＤＫ〜ＤＭのうち、２つの端部光検出領域である検出領域３２Ｋ及び３２Ｍの受光量に応じた一の端部検出信号である検出信号ＤＫ及びＤＭを加算した和信号に第２の係数αを乗算し、これを中心光検出領域である検出領域３２Ｌの受光量に応じた一の中心検出信号である検出信号ＤＬから減算した差信号を演算信号Ｐ（Ｐ４）とするようにした。
【０２１５】
これにより光ディスク装置１は、上述した第１の実施の形態と同様に汎用回路によって演算信号Ｐ（Ｐ３）及びＰ（Ｐ４）からフォーカスエラー信号ＳＦＥを生成することができる。
【０２１６】
さらに上述の実施の形態においては、フロントエンド回路５０がＡＳ−ＤＰＰ回路と汎用回路の両方を有するようにした場合について述べたが、本発明はこれに限らず、汎用回路のみを有するようにしても良い。
【０２１７】
さらに上述の実施の形態においては、汎用回路が演算信号Ｐ（Ｐ５）及びＰ（Ｐ６）を加算する加算回路ＣＲ４を有し、当該加算回路ＣＲ４を介して演算信号Ｐ（Ｐ５）を減算回路ＣＲ６の反転入力端子に入力するようにした場合について述べたが、本発明はこれに限らず、入力ピンＰＮ６及び加算回路ＣＲ４が存在せず、入力ピンＰＮ５に入力された演算信号Ｐ（Ｐ５）をそのまま減算回路ＣＲ６の反転入力端子に入力するようにしても良い。
【０２１８】
さらに上述した実施の形態においては、光ディスク装置１において光ディスク１００から情報を再生する際におけるトラッキングエラー信号の生成時に本発明を適用する場合について述べたが、これに限らず、例えば当該光ディスク１００に情報を記録する際におけるトラッキングエラー信号の生成時に本発明を適用するようにしても良い。
【０２１９】
さらに上述した実施の形態においては、ホログラムとしてのフォーカスサーボ用ホログラム４４と、受光部としてのフォトディテクタ３２と、信号演算部としての信号演算部１９とによって光ピックアップとしての光ピックアップ２０を構成する場合について述べたが、本発明はこれに限らず、その他種々の構成でなるホログラムと、受光部と、信号演算部とによって本発明の光ピックアップを構成するようにしても良い。
【０２２０】
さらに上述した実施の形態においては、ホログラムとしてのフォーカスサーボ用ホログラム４４と、受光部としてのフォトディテクタ３２と、信号演算部としての信号演算部１９と、フロントエンド回路としてのフロントエンド回路５０とによって光ディスク装置としての光ディスク装置１を構成する場合について述べたが、本発明はこれに限らず、その他種々の構成でなるホログラムと、受光部と、信号演算部と、フロントエンド回路とによって本発明の光ディスク装置を構成するようにしても良い。
【産業上の利用可能性】
【０２２１】
本発明は、光ビームを用いて光記録媒体に情報を記録し又は再生する種々の光情報装置でも利用できる。
【図面の簡単な説明】
【０２２２】
【図１】光ディスク装置の全体構成を示すブロック図である。
【図２】光ピックアップの構成を示す略線的斜視図である。
【図３】光集積素子の構成を示す略線図である。
【図４】分割導光部の構成（１）を示す略線図である。
【図５】分割導光部の構成（２）を示す略線図である。
【図６】分割導光部の構成（３）を示す略線図である。
【図７】フォトディテクタにおける検出領域の配置を示す略線図である。
【図８】反射光ビームの分割及び導光の説明に供する略線図である。
【図９】フォトディテクタの検出領域に形成されるビームスポットの様子を示す略線図である。
【図１０】光ピックアップ内の光路（１）を示す略線図である。
【図１１】光ピックアップ内の光路（２）を示す略線図である。
【図１２】光ピックアップ内の光路（３）を示す略線図である。
【図１３】分割導光部における迷光の説明に供する略線図である。
【図１４】層間迷光の照射パターン（１）を示す略線図である。
【図１５】層間迷光の照射パターン（２）を示す略線図である。
【図１６】フロントエンド回路の構成（１）を示す略線的斜視図である。
【図１７】ＤＰＰ法による再生制御信号の生成の説明に供する略線的斜視図である。
【図１８】フロントエンド回路の構成（２）を示す略線図である。
【図１９】第２の実施の形態における光ピックアップの構成を示す略線図である。
【図２０】第２の実施の形態における分割導光パターン切替部の構成を示す略線図である。
【図２１】第２の実施の形態における分割導光部の構成を示す略線図である。
【図２２】第２の実施の形態における分割導光部の構成及びビームスポットの様子（１）を示す略線図である。
【図２３】第２の実施の形態における分割導光部の構成及びビームスポットの様子（２）を示す略線図である。
【図２４】他の実施の形態におけるフォトディテクタの構成を示す略線図である。
【符号の説明】
【０２２３】
１……光ディスク装置、１９……信号演算部、２０……光ピックアップ、２０、２１……分割導光板、３２……フォトディテクタ、３２Ａ〜３２Ｍ……検出領域、４１……分割導光パターン切換部、１１……システムコントローラ、２１……光集積素子、３２……フォトディテクタ、３２Ａ〜３２Ｍ……検出領域、４４……フォーカスサーボ用ホログラム、４５……アクティブ波長板、４６、４７……分割導光部、４６Ａ〜４６Ｄ、４７Ａ〜４７Ｇ……導光領域、５０……フロントエンド回路、１００……光ディスク、Ｌ１２、Ｌ１３、Ｌ１４、Ｌ１５……反射光ビーム、Ｌ１６Ａ〜Ｌ１６Ｄ、Ｌ１７Ａ〜Ｌ１７Ｇ……分割光ビーム、Ｐ１Ａ〜Ｐ１Ｄ、Ｐ２Ａ〜Ｐ２Ｆ、Ｐ１１Ａ〜Ｐ１１Ｄ、Ｐ１２Ａ〜Ｐ１２Ｇ……ビームスポット。
【図１】
2008257784.tif 000028
【図２】
2008257784.tif 000029
【図３】
2008257784.tif 000030
【図４】
2008257784.tif 000031
【図５】
2008257784.tif 000032
【図６】
2008257784.tif 000033
【図７】
2008257784.tif 000034
【図８】
2008257784.tif 000035
【図９】
2008257784.tif 000036
【図１０】
2008257784.tif 000037
【図１１】
2008257784.tif 000038
【図１２】
2008257784.tif 000039
【図１３】
2008257784.tif 000040
【図１４】
2008257784.tif 000041
【図１５】
2008257784.tif 000042
【図１６】
2008257784.tif 000043
【図１７】
2008257784.tif 000044
【図１８】
2008257784.tif 000045
【図１９】
2008257784.tif 000046
【図２０】
2008257784.tif 000047
【図２１】
2008257784.tif 000048
【図２２】
2008257784.tif 000049
【図２３】
2008257784.tif 000050
【図２４】
2008257784.tif 000051